(57)【要約】【課題】  ＥＧＲ還流率の目標値の急変に追従できるＥＧＲ制御装置を得る。【解決手段】  全開位置をイニシャル位置とする電制スロットルバルブの下流の吸気通路内に排気ガス還流通路の一部を形成する屈曲通路を配置し、当該屈曲通路から吸気通路に同心状に延びる筒状部に排気ガス還流量制御弁を配置する。この制御弁は、バタフライ弁で構成し、減速ギア機構を介してモータで駆動する。また、制御弁の開度をセンサで検出し、また排気ガスの冷却装置出口で流量センサによって冷却した排気ガスの流量を検知しこれらの信号を制御弁の制御に反映させる。【選択図】図１
2005140024.tif 000002
【特許請求の範囲】
【請求項１】
吸気通路内に排気ガスの一部を還流する排気ガス還流装置において、前記吸気通路内に排気ガス還流通路の一部を突出させ、当該突出通路内に排気ガスの流量を調整する制御弁を配置したことを特徴とする排気ガス還流装置。
【請求項２】
請求項１に記載したものにおいて、前記制御弁が配置された排気ガス還流通路部が吸気通路内で軸方向に延びる筒状体で形成されていることを特徴とする排気ガス還流装置。
【請求項３】
請求項１に記載したものにおいて、前記制御弁がモータで駆動されることを特徴とする排気ガス還流装置。
【請求項４】
請求項１に記載したものにおいて、前記制御弁がバタフライバルブで構成されていることを特徴とする排気ガス還流装置。
【請求項５】
請求項１に記載したものにおいて、前記吸気通路と前記排気ガス還流通路の両方を貫通して空気の流れを横切る方向に延びる回転軸を備え、当該回転軸に前記制御弁が固定されており、前記回転軸は前記吸気通路を構成する通路壁面部材に固定された一対の軸受で支承されており、前記回転軸は減速ギア機構を介して、モータで駆動されることを特徴とする排気ガス還流装置。
【請求項６】
請求項１に記載されたものにおいて、前記制御弁の開度を検出する開度センサが設けられていることを特徴とする排気ガス還流装置。
【請求項７】
請求項６に記載されたものにおいて、前記吸気通路の外壁部に取り付けられる前記ギアを覆うカバーに、前記排気ガス還流通路内の前記制御弁の開度を検出する開度センサを形成したことを特徴とする排気ガス還流装置。
【請求項８】
請求項１に記載したものにおいて、前記制御弁が配置された排気ガス還流通路部の上流にイニシャル状態で全開位置に維持されるスロットルバルブ装置が配置されることを特徴とする排気ガス還流装置。
【請求項９】
請求項８に記載したものにおいて、前記スロットルバルブ装置のバルブの回転軸が別の減速歯車機構を介して別のモータで駆動されることを特徴とする排気ガス還流装置。
【請求項１０】
請求項５に記載したものにおいて、前記制御弁が配置された排気ガス還流通路部の上流にイニシャル状態で全開位置に維持されるスロットルバルブ装置が配置され、当該スロットルバルブ装置のバルブの回転軸が吸気通路を流れる空気の流れに交差する方向に延びて、前記吸気通路壁面を貫通しており、且つ前記回転軸は別の減速ギアを介して別のモータで駆動されることを特徴とする排気ガス還流装置。
【請求項１１】
請求項１０に記載のものにおいて、前記制御弁の回転軸と前記スロットルバルブの回転軸とが並行に配置されていることを特徴とする排気ガス還流装置。
【請求項１２】
請求項１０に記載のものにおいて、前記制御弁駆動用のモータと前記スロットルバルブ駆動用のモータとが並行に配置されていることを特徴とする排気ガス還流装置。
【請求項１３】
請求項８に記載したものにおいて、前記制御弁が配置された排気ガス還流通路部が位置する前記吸気通路部の吸気通路の直径が、前記スロットルバルブが配置されている部分の吸気通路の直径より大きく形成されていることを特徴とする排気ガス還流装置。
【請求項１４】
吸気通路体に排気ガス還流通路が開口し、当該排気ガス還流通路の通路断面積を調整する制御バルブが前記吸気通路体に取付けられているものにおいて、前記制御弁の上流にあって前記排気ガスを冷却する冷却装置と前記吸気通路体とが一体に組み付けられていることを特徴とする排気ガス還流装置。
【請求項１５】
排ガスを吸気通路に還流する制御弁を備え、当該制御弁の開度を前記排気ガスの流量を検出する排気ガス流量センサの出力に基づいて制御するものにおいて、前記センサを前記排気ガスを冷却する冷却装置の出口部の排気ガス流路内に設置したことを特徴とする排気ガス還流装置。
【請求項１６】
排ガスを吸気通路に還流する制御弁を備え、当該制御弁の開度を前記排気ガスの流量を検出する排気ガス流量センサの出力に基づいて制御するものにおいて、制御弁の開度を検出するセンサを設け、当該センサの出力と、前記排気ガス流量センサの出力とによって前記制御弁の開度を制御することを特徴とする排気ガス還流装置の制御装置。
【請求項１７】
エンジン冷却水が流れる通路と排気ガスが流れる通路とが良熱伝導壁を挟んで隣接するように構成された熱交換器を備え、排気ガス導入部、排気ガス導出部、冷却水導入部、冷却水導出部とが前記熱交換器の回りに形成され、これらが一つのユニットとして構成されている排気ガス還流装置の排気ガス冷却装置。
【請求項１８】
請求項１７に記載のものにおいて、前記エンジン冷却水が流れる通路内にはコルゲートフィンが配置されていることを特徴とする排気ガス還流装置の排気ガス冷却装置。
【請求項１９】
請求項１７に記載のものにおいて、前記排気ガス導出部の流路内に臨むようにして前記ユニットに排気ガス流量センサが取り付けられている排気ガス還流装置の排気ガス冷却装置。
【請求項２０】
吸気通路の通路面積を制御するスロットル弁と、当該スロットル弁の下流の吸気通路に設けた排気ガス導入路の流路面積を制御する制御弁とを備え、前記スロットルバルブと制御弁とは何れかが開度固定制御されているときに他方が開度制御可能に構成されていることを特徴とする排気ガス還流装置の制御装置。
【発明の詳細な説明】
【技術分野】
【０００１】
本発明は、ディーゼル車用内燃機関に用いられるＥＧＲガス制御装置に関し、殊に電子式のＥＧＲガス制御装置に関する。
【背景技術】
【０００２】
従来の電子式ＥＧＲガス制御装置としては、吸気管とＥＧＲガス通路との接続部近傍のＥＧＲガス通路部に開閉バルブを設け、このバルブを減速歯車を介して、モータで開閉制御するものが知られている（特表平２００２−５２１６１０号公報）。
【０００３】
また別の従来技術では、スロットルバルブの下流の吸気通路部にＥＧＲガス導入用の屈曲管を設け、この屈曲管を吸気通路下流側に向けて開口させると共に、吸気管に接続されるＥＧＲガス通路にバルブを設けこのバルブを負圧アクチュエータで開閉制御するものが知られている（特開平１０−２１３０１９号公報）。
【０００４】
【特許文献１】特表平２００２−５２１６１０号公報
【特許文献２】特開平１０−２１３０１９号公報
【発明の開示】
【発明が解決しようとする課題】
【０００５】
上記従来技術では、排気ガス還流率を素早く目標の値に制御することができなかった。
【課題を解決するための手段】
【０００６】
吸気通路内に排気ガス還流通路の一部を突出させ、当該突出通路内に排気ガスの流量を調整する制御弁を配置した。
【発明の効果】
【０００７】
本発明によれば、吸気通路の中で、排気ガスの還流量を制御するので制御応答性が向上する。
【発明を実施するための最良の形態】
【０００８】
以下、図１乃至図９に基づき本発明の一実施例を詳細に説明する。
【０００９】
図１は、本発明になる排気ガス還流装置の全体斜視図で、吸気通路の一部を断面して内部が分かるようにしてある。
【００１０】
図２は排気ガス還流装置の縦断面図で、図３は側面図である。
【００１１】
図１乃至図３により、全体の構成を説明する。
【００１２】
４５は後述の排気ガス還流システム図（図１０）に記載されている吸気制御装置４５に対応する。
【００１３】
４１６は同システム図（図１０）のＥＧＲ（Exhaust Gas Recirculate ：エキゾーストガス  リサーキュレート／排気ガス再循環）制御装置４１６（本実施例では排気ガス還流制御装置と呼ぶ）に対応する。
【００１４】
吸気制御装置４５は筒状に形成された吸気通路体４５Ｂとこの吸気通路体４５Ｂの筒状体の中心軸線を横切るように延びて当該吸気通路体４５Ｂに回転可能に支承される回転軸３と、この回転軸３（スロットルシャフトとも呼ぶことがある）に固定されたバタフライ弁２（スロットル弁、吸気制御弁と呼ぶこともある）とを有する。
【００１５】
吸気通路体４５Ｂの外壁部には回転軸３と並行に形成されたモータ収納用のケーシングが当該吸気通路体４５Ｂに一体に形成されている（詳細は図２４，図２５で説明する）。
【００１６】
９は樹脂カバーで、内部に制御回路基板（後述する）と回転軸３の回転角度センサ１０（後述する）が設けられている。
【００１７】
当該樹脂カバー９は５本のねじ４５ａで吸気通路体４５Ｂの外壁部の決められた位置に固定される。
【００１８】
９Ａは樹脂カバー９に一体に樹脂成形されたコネクタである。
【００１９】
コネクタ９Ａにはセンサ１０からの信号をエンジン制御ユニットに送る端子，モータへの給電用端子，アース端子，エンジン制御ユニットから吸気制御弁２の開度制御信号を受け取る端子が設けられている。
【００２０】
排気ガス還流制御装置４１６は同心状の二重管式吸気通路体で構成される。当該吸気通路体は側壁に孔を有し、この孔にはめ込まれる排気ガス導入通路部４１３ｄは屈曲部413eで吸気通路体の軸線に沿う方向に延びる筒状部４１３ｆと繋がっている。
【００２１】
具体的にはＬ字状の屈曲した通路体（４１３ｄ，４１３ｅ，４１３ｆ）が吸気通路体の下方から吸気通路４６内に挿入され、導入通路部４１３ｄが側壁の孔に挿通される。
【００２２】
このとき、筒状部４１３ｆが側壁の孔から離れる方向に吸気通路４６の中心からオフセットした状態で屈曲した通路体（４１３ｄ，４１３ｅ，４１３ｆ）を挿入して吸気通路
４６の中に挿入し、導入通路部４１３ｄの先端が側壁の孔に合致する位置で、屈曲した通路体（４１３ｄ，４１３ｅ，４１３ｆ）を吸気通路の中心方向に移動させて導入通路部
４１３ｄを側壁の孔に挿入する。この組付け作業を実現するために本実施例では上述のオフセットが可能になるように、吸気通路体の内径と筒状部４１３の外径および導入通路部４１３ｄの側壁内周面までの寸法が決定されている。つまり、屈曲した通路体（４１３ｄ，４１３ｅ，４１３ｆ) が、吸気通路４６の中心からオフセット（筒状部４１３ｆが側壁の孔から離れる方向に）した状態で吸気通路内に挿通できるように、筒状部４１３ｆ外周面と導入通路部４１３ｄの先端部との一番長い距離が吸気通路４６の内径と略同じに設計されている。筒状部４１３ｆ外周面と導入通路部４１３ｄの先端部との一番長い距離が吸気通路４６の内径よりも大きくても良いがその場合には屈曲した通路体（４１３ｄ，413e，４１３ｆ）を吸気通路４６内に挿入する際、傾けて挿入し、導入通路部４１３ｄを側壁の孔にセットする必要がある。
【００２３】
この組付け作業をやり易くするために導入通路部４１３ｄの長さよりも筒状部４１３ｆの長さの方を長くしている。
【００２４】
導入通路部４１３ｄが吸気通路４６の側壁の孔にセットされた状態では筒状部４１３ｆの中心軸線が吸気通路４６の中心軸線に一致することになり、かくして二重管状態にセットされるように構成される。
【００２５】
もちろん両者の中心軸線が完全に一致する必要はなく、むしろ流体抵抗や、流体の流線などから、中心より少し吸気通路４６の中心からオフセット（筒状部４１３ｆが側壁の孔から離れる方向に）した方が良い場合も有る。
【００２６】
吸気通路４６の側壁と屈曲した通路体（４１３ｄ，４１３ｅ，４１３ｆ）の筒状部413fとの両者には中心軸線に交差する位置に一直線に貫通孔が並んで設けられている。
【００２７】
これらの貫通孔が一直線に並ぶように筒状部４１３ｆのオフセット位置あるいは導入通路部４１３ｄを側壁の孔へ差込む寸法が調整される。
【００２８】
一つの方法としてはこれら貫通孔に棒材を挿通して両者の位置を確定し、その後両者をしかるべき位置において溶接接合する。
【００２９】
あるいは両者を所定の位置で結合した後に貫通孔を形成することも考えられる。
【００３０】
かくして一直線上に配列された貫通孔に回転軸４１６Ｓが挿通され、当該回転軸416Ｓにバタフライ弁４１６Ａが２本のねじ４１６ｍにより固定される。
【００３１】
回転軸４１６Ｓは図４，図６に示すように吸気通路側壁に設けた貫通孔の部分に固定された２個のボールベアリング４１６Ｊ，Ｋで回転可能に支承されている。回転軸４１６Ｓの一端は金属カバーで封止されるが他端はボールベアリング４１６Ｋからさらに突出している。この突出部には樹脂カラー４１６Ｕと最終段ギア４１６Ｒが挿通されており、ナットによって両者は回転軸４１６Ｓに固定される。樹脂カラー４１６Ｕと吸気管外壁部との間にはベアリング４１６Ｋが固定された軸受ボスの回りにリターンスプリング４１６Ｍがセットされている。リターンスプリング４１６Ｍの一端は回転方向に移動しないように吸気通路体外壁の段付部に係止され、他端は樹脂カラー４１６Ｕに係止されている。
【００３２】
樹脂カラー４１６Ｕはシャフトと一緒に回転するので、このため、制御弁が開き方向に回転するとリターンスプリングが巻き締められて制御弁に対して閉じ方向の力を付与する。
【００３３】
なお、排気ガス通路体の筒状部に開けられた孔は回転軸が挿通される孔として機能するだけでなく、回転軸の撓みすぎによってボールベアリングに無理な力が掛かるのを抑制する効果がある。
【００３４】
吸気通路体にはモータ収納ケース部が一体に形成されている。
【００３５】
モータ収納ケース部４１６Ｄにはモータ４１６Ｄｍが収納され、吸気通路体に固定されている。
【００３６】
モータ４１６Ｄｍの回転軸の端部にはギア４１６Ｎが固定されている。回転軸４１６Ｓに固定された終段ギア４１６Ｒとギア４１６Ｎとの間には樹脂成形により一体に成型された大径ギア４１６Ｐと小径ギア４１６Ｑとからなる中間ギアが固定シャフト４１６Ｔに回転可能に支承されている。大径ギア４１６Ｐはギア４１６Ｎに噛み合っている。
【００３７】
小径ギア４１６Ｑは終段ギア４１６Ｒに噛み合っている。この減速ギア機構による減速比は約２０分の１である。この減速比により、大きな制御弁回転力(約１００キログラム)を発生することができる。これはリターンスプリングの力が７キログラム程度存在することを考慮しても相当大きな力であり、排気ガス中の未燃焼成生物やタールなどによるバルブの張り付き現象があっても制御弁を開くことができる。制御弁先端の貼り付き解除力としては２０〜３０kg程度で良いと考えられており、上記力があれば張り付きに対し十分な耐力が確保できる。
【００３８】
屈曲した通路体（４１３ｄ，４１３ｅ，４１３ｆ）から吸気通路に導入された排気ガスは筒状体４１３ｆの出口４１６ｆから吸気通路４６の中心に排出され、周囲を流れる新気と均一に混合される。また、吸気制御弁部の吸気通路体の直径に対し、排気ガス還流制御弁部の吸気通路体の直径は、排気ガス還流通路の投影断面積に見合う分だけ径を大きくしてある。これにより通路抵抗の上昇を抑制できる。
【００３９】
排気ガスが直接吸気通路体に接触しないので、吸気通路体の温度上昇を低く押さえられる。その結果ベアリング４１６Ｊ，Ｋの温度上昇がなく、グリースの溶け出しによるベアリングの動作不良等が低減できる。
【００４０】
４１６Ｃは樹脂カバーで、４箇所でねじ止め部４１６ｈにより二重管式吸気通路体の外壁の所定位置に固定される。
【００４１】
この樹脂カバーは減速ギア機構を被い、さらに回転軸４１６Ｓの回転角度を検出するセンサ部４１６Ｅが配置されている。
【００４２】
４１６Ｆはコネクタで、樹脂カバーの樹脂成形時にカバーに一体に成形される。このコネクタには回転軸の開度信号を外部に出力する端子，外部からモータへ給電する端子，アース端子が設けられている。
【００４３】
回転軸４１６Ｓの樹脂カバー側端部は樹脂カバー４１６Ｃの位置まで延びている。樹脂カバー４１６Ｃには回転センサ部４１６Ｅのロータ４１６Ｌが樹脂カバー４１６Ｃの平面部に回転可能に支承されている。このロータ４１６Ｌにはブラシ４１６Ｘが取り付けられている。
【００４４】
樹脂カバー４１６Ｃの蓋部を構成する蓋板４１６Ｅの内側には回転軸に対して直角な面を持つ基板４１６Ｗが取り付けられている。この基板のブラシ４１６Ｘに対面する位置には図示しない抵抗導体が形成されている。抵抗導体は樹脂カバー４１６Ｃに一体成形された電気導体の端子部４１６Ｙを介してコネクタ４１６Ｆに接続されている。樹脂カバー
４１６Ｃが吸気通路体の外壁に固定されると回転軸の端部がロータ４１６Ｌの孔に嵌り込み、板ばね４１６ｎによって周り止めされている。これにより、回転軸４１６Ｓの回転はロータ４１６Ｌを介してブラシ４１６Ｘを回転させ、抵抗体に対するブラシ４１６Ｘの位置の変化が電気信号としてコネクタ４１６Ｆから外部へ送られる。
【００４５】
かくして排気ガス通路の開度を制御する制御弁４１６Ａの実際の開度が検出され、モータ４１６Ｄｍへの制御信号の演算に反映される。この為、制御弁の応答性及び制御精度が向上する。
【００４６】
この信号はエンジン制御ユニットに送られてそこでＥＧＲ還流率に基づく制御弁416Ａの開度目標値（結果としてモータ４１６Ｄｍの制御信号）の計算に用いる。
【００４７】
なお、吸気制御弁の制御装置に設けられている制御回路２００にこの信号を送ってそこで同様の計算を行い、目標開度信号としてのモータ４１６Ｄｍの制御信号を返して貰うこともできる。
【００４８】
以上説明した吸気制御装置４５と排気ガス還流量制御装置４１６とは互いに隣接して取り付けられる。
【００４９】
具体的には吸気制御装置４５の下流端に排気ガス還流量制御装置４１６の上端を当接し、両者の間にガスケット（あるいはシールゴム）４５Ｅを挟んで、ボルト４５Ｇで固定される。ボルト４５Ｇは吸気通路体の周囲に間隔をおいて４ヶ所設けられたボルト挿通穴
４５Ｄを通して吸気制御装置の上フランジ４５Ｃ，下フランジ４５Ｆと排気ガス還流量制御装置４１６の吸気通路体のフランジ部４１６Ｈとを締め上げ、両者を固定する。
【００５０】
このとき、回転軸３と４１６Ｓとが並行になるように配置を工夫し、筒状部４１３ｆから吸気通路４６内に流入する排気ガスの流量が多くなる部分と吸気制御弁の開度の最も大きいところとが一致するようにして、新気と排気ガスの混合がスムースに行われるようにして、各シリンダへの排気ガスの分配が均一になるよう工夫されている。
【００５１】
また、双方の樹脂カバー９、４１６Ｃが吸気通路体に対して同じ側に位置するよう工夫してある。この構成によればコネクタへの接続作業が同一サイドで行えるので、作業性が良い。また、後述する冷却装置の設置空間を確保するのに好適である。
【００５２】
このように工夫された装置では、回転軸が並行であるだけでなくモータ挿入ケースも並行に配置されており、モータの回転軸もこれら回転軸と並行に配置されることになる。
【００５３】
４１４はエンジン冷却水と排気ガスとの間で熱交換して排気ガスを冷却する冷却装置である。冷却水は入口ヘッダ４１４Ａから冷却装置に入り、図４に示すコルゲートフィン
４１４ａが配置された通路を流れ、冷却水出口ヘッダ４１４Ｂから排出される。
【００５４】
排気ガスは入口ヘッダ４１３ａから導入され、熱交換器の並行通路を矢印に示す方向に流れ、出口ヘッダ４１３ｂに集められ、接続通路４１３ｃを通って吸気通路体に形成されている排気ガス導入通路部４１３ｄに導かれる。
【００５５】
このとき入口で、５００℃の排気ガスが１００℃のエンジン冷却水と熱交換することによって出口では２００℃まで温度が下がる。これによって吸気通路体の中心に直接排気ガスを導入できる。
【００５６】
４１５（１５６）は排気ガス流量センサである。排気ガス流量センサは、冷却装置出口の接続通路４１３ｄに設けられ、冷却された排気ガスの流量を検出する。かくしてガス温度変化が少なくなるので計量精度が上がる効果がある。
【００５７】
また、ＥＧＲガス温度を下げてガス密度を高め（体積を少なくし）還流率の上限を広げＮＯｘを低減することができる。さらに低いガス温によりエンジンの燃焼温時間を短くできる。
【００５８】
４１３Ｇは排気ガス通路を吸気通路体の導入開口４１３ｋに固定するためのねじである。４１３ｈはこのねじ挿通孔である。
【００５９】
なお、上記実施例では排気ガス還流量制御装置４１６の屈曲通路体を別体として形成し、吸気通路体の内部に組み付けるものを説明したが、以下のようにすれば一体に型抜きにより形成できる。
【００６０】
図２において、排気ガス還流量制御装置４１６の二重管式吸気通路体の屈曲通路の内側と外側において型割を工夫して上流側と下流側に型抜きできるようにする。さらに同図面右側に３番目の抜き型を設けることで一体成形が可能である。
【００６１】
次に図７に基づき吸気制御装置の樹脂カバー部分を詳細に説明する。
【００６２】
モータ５の端子５Ａは樹脂カバー９に設けた受け端子１４に電気的に接続される。本実施例では樹脂カバー９にモールド成型された端子１４も雄端子である。このためモータ側の雄端子５Ａとカバー側の雄端子１４との間に両側に雌端子を有する中継端子５Ｂが設けられている。
【００６３】
端子１４に至る導体は制御回路基板２００の一辺に設けられたボンディングパッドに一端がロー付けされたボンディングワイヤー２０２により電気的に接続されている。制御回路基板２００と樹脂カバー内壁面との間にはアルミニューム材製の放熱板がサンドイッチ状体に接着されている。制御回路基板の他の一辺には一端がボンディングパッドに半田付けされたボンディングワイヤー２０１を介して開度センサ１０に接続される端子群が整列されている。電気導体１０ｗはセンサの抵抗基板に一端が接続され、他端がボンディングワイヤー２０１に接続される。
【００６４】
１２は制御回路基板の表面をギア収納部から隔離するための隔壁（以後コントロールユニットカバーと呼ぶこともある。）で、制御回路部に異物が侵入するのを防ぐだけでなく中間ギア７のスラスト方向への抜け止めを形成している。
【００６５】
センサカバー１０ｃはロータ１０Ｒの回転を支承する環状突起が回転軸の先端部の周囲に形成されている。シャフトの先端部はロータの中心穴に嵌合され、Ｃリング１０Ｐでロータを回転軸３に固定する。
【００６６】
１０ｄはシールゴムで、ロータ１０Ｒとセンサカバー１０ｃとの間をシールする。
【００６７】
４ｃはシールを保持するための金具で、４ｄはリップシールである。このシールにより排気ガスの吹き返りによる排気ガス成分がセンサ室や制御回路室に侵入するのを防いでいる。
【００６８】
以上の実施例の効果を纏めると以下の通りである。
【００６９】
（１）加減速時の過渡状態で吸気量が急激に変化した場合にも大きな力で制御バルブを開くので応答速度が早く（全閉から全開までの時間が１００ｍｓ程度）、目標還流率に達するまでの時間を短くできる。
【００７０】
（２）吸気通路側面からＥＧＲガスを導入する従来の方法では、ガスの偏りが発生していた。本構成では吸気通路の中心部にＥＧＲガスを導入するので混合が良好となりひいては気筒分配が良くなる。
【００７１】
（３）冷却装置による冷却効果は入口で５００度あった排気ガス温度が出口で２００度まで下がり、ガス温度変化が少なくなるので計量精度が上がる効果がある。また、ＥＧＲガス温度を下げてガス密度を高め（体積を少なくし）還流率の上限を広げＮＯｘを低減することができる。さらに低いガス温によりエンジンの燃焼温度が下がりＮＯｘを低減できるという効果もある。
【００７２】
（４）さらに、従来ＥＧＲガスが吸気通路への入口で吸気通路体本体に接触していたが、本実施例では排気ガスは排気ガス通路によって吸気通路内に導かれるので、吸気通路体本体が直接排気ガスによって加熱されることがない。この為軸受のベアリングが加熱されることがなく、グリースの溶融等の問題が低減できる。
【００７３】
以下、図２１〜図３５を用いて、本発明が適用されるディーゼルエンジンの電子制御スロットル装置について説明する。
【００７４】
最初に、図２１を用いて、本実施形態による電子制御スロットル装置のシステム構成について説明する。
【００７５】
図２１は、本発明の第１の実施形態による電子制御スロットル装置のシステム構成図である。
【００７６】
本実施形態による電子制御スロットル装置は、電子スロットルボディ（ＥＴＢ）１００と、スロットルアクチュエータコントロールユニット（ＴＡＣＵ）２００とから構成されている。電子スロットルボディ（ＥＴＢ）１００は、スロットルボディに中に回転可能に支持されたスロットルバルブや、このスロットルバルブを駆動するモータ等のアクチュエータから構成されている。その詳細構成については、図２４〜図３１を用いて後述する。
【００７７】
スロットルアクチュエータコントロールユニット（ＴＡＣＵ）２００は、電子スロットルボディ（ＥＴＢ）１００のスロットルバルブの開度が、エンジンコントロールユニット（ＥＣＵ）３００から与えられるスロットルバルブの目標開度となるように制御するユニットである。ＴＡＣＵ２００は、ＥＣＵ３００から与えられる目標開度に対して、ＥＴＢ１００のスロットルバルブを回動するためのモータ制御デューティ信号をＥＴＢ１００に出力する。このデューティ信号によって回動されたスロットルバルブの開度は、スロットルポジションセンサによって検出され、スロットルセンサ出力として、ＴＡＣＵ２００に供給される。ＴＡＣＵ２００は、通常の制御状態においては、目標開度とスロットルセンサ出力が一致するように、スロットルバルブの開度をフィードバック制御する。ＴＡＣＵ２００の構成および動作については、図２４〜図３１を用いて後述する。
【００７８】
次に、図２２および図２３を用いて、本実施形態による電子制御スロットル装置におけるスロットルバルブの開度について説明する。
【００７９】
図２２は、本発明の第１の実施形態による電子制御スロットル装置におけるスロットルバルブの開度特性の説明図である。そして、図２２（Ａ）は、スロットルバルブの開度の静的特性の説明図であり、図２２（Ｂ）は、スロットルバルブの開度の動的特性の説明図である。
【００８０】
最初に、図２２（Ａ）により、スロットルバルブの開度の静的特性について説明する。図２２（Ａ）において、横軸はＴＡＣＵ２００からＥＴＢ１００に供給されるモータ制御デューティ信号のデューティを示し、縦軸はスロットルバルブの開度を示している。スロットルバルブは、後述するように、リターンスプリングによって開き方向に付勢力が与えられている。したがって、デューティが０％のとき，すなわち、モータに電流が流れていない時は、スロットルバルブはリターンスプリングによって開き方向に戻されるため、スロットルバルブの開度は最大となっている。
【００８１】
デューティが０％〜Ｘ１％の間では、モータに駆動力が発生するが、リターンスプリングの付勢力よりは小さいため、スロットルバルブの開度は最大に維持される。デューティがＸ１％〜Ｘ２％まで増加すると、モータに駆動力が、リターンスプリングの付勢力よりも大きくなり、スロットルバルブの開度は徐々に最小に向かって減少し、デューティＸ２％でスロットルバルブの開度は最小となる。そして、デューティＸ２％以上では、スロットルバルブの開度は最小に維持される。デューティＸ１％，Ｘ２％の値は、リターンスプリングの付勢力やモータが発生する駆動力によって異なるが、例えば、Ｘ１％＝１５％であり、Ｘ２％＝３０％である。したがって、例えば、デューティ２２.５％ （＝（１５＋３０）／２）のモータ制御信号がモータに与えられると、スロットルバルブの開度は、最大と最小の中間位置に保持される。
【００８２】
以上は、デューティとスロットルバルブの開度の静的な関係を示している。一方、スロットルバルブの開度のある開度から別の開度に変更するときは、図２２（Ｂ）に示す動的な特性を用いている。図２２（Ｂ）の横軸は時間を示し、上側の縦軸は開度を示し、下側の縦軸はデューティを示している。ここで、例えば、図２２（Ｂ）の上側に示すように、スロットルバルブの開度を最大から最小に変更する場合、図２２（Ｂ）の下側に示すように、時刻ｔ１において、デューティ１００％の信号をＴ１時間継続して出力し、速やかに、スロットルバルブの開度を最大から最小方向に移動する。そして、Ｔ１時間経過後、デューティ−Ｙ１％の信号をＴ２時間継続して出力する。ここで、デューティの符号がマイナスということは、モータに通電する電流の方向が逆であり、モータが逆方向に回転駆動されることを示している。すなわち、デューティ１００％の信号を供給して、スロットルバルブの開度を最小方向に高速で駆動するとともに、Ｔ１時間後には、モータの回転方向が逆方向となるような信号を供給して、ブレーキをかけることにより、素早く目標開度に接近させる。その後は、スロットセンサの出力開度と目標開度が一致するように、デューティを変化させて、フィードバック制御する。時間Ｔ１，Ｔ２および−Ｙ１％の具体的な値は、制御系によって異なるが、例えば、最大から最小開度まで１００ｍｓの応答時間で移動しようとする場合、Ｔ１＝３０〜５０ｍｓであり、−Ｙ１＝−１００％であり、Ｔ２＝３〜６ｍｓである。これらのＴ１，Ｔ２，Ｙ１の値は、ＰＩＤ演算により求めるものであり、ＰＩＤ演算の制御定数によって変わる値である。
【００８３】
次に、図２３を用いて、本実施形態による電子制御スロットル装置におけるスロットルバルブの開度の定義について説明する。
【００８４】
図２３は、本発明の第１の実施形態による電子制御スロットル装置におけるスロットルバルブ開度の定義の説明図である。
【００８５】
スロットルバルブの開度には、「制御開度」と、「メカ開度」の２つの開度がある。図２２で説明した開度は、制御開度である。制御開度は、ＴＡＣＵ２００によって制御される対象の開度であり、最小開度〜最大開度を、例えば、０〜１００％とする。０％が制御全閉状態であり、１００％が制御全開状態である。０〜１００％の範囲を、スロットル開度制御領域と称する。
【００８６】
一方、このＥＴＢ１００は、スロットルバルブの開度を機械的に制限するための２個のストッパを備えている。スロットルバルブが最小側ストッパに係止して停止する位置がメカ全閉である。スロットルバルブが最大側ストッパに係止して停止する位置がメカ全開である。メカ全閉〜メカ全開の範囲を、スロットル回動領域と称する。スロットル回動領域は、図２３に示すように、スロットル開度制御領域よりも広い範囲である。
【００８７】
また、各開度を物理的な角度で例示すると、例えば、次のようになる。ここで、スロットバルブが空気の流れに対して直角になる位置を０°とすると、メカ全閉Ｚ１は、例えば６.５° であり、制御全閉Ｚ２は、例えば７°である。また、制御全開Ｚ３は、例えば、９０°であり、メカ全開Ｚ４は、例えば９３°である。
【００８８】
さらに、図２３に示すように、スロットル全開制御領域の中に、ＥＧＲ制御またはDPF制御領域（Ｖ１〜Ｖ２）が存在する。すなわち、ＥＣＵ３００からＴＡＣＵ２００に与えられる目標開度がＶ１〜Ｖ２の範囲にあるときは、ＴＡＣＵ２００は、ＥＧＲ制御またはＤＰＦ制御が行われていると判断することができる。制御領域（０〜１００％）に対して、例えば、Ｖ１は１０％であり、Ｖ２は８０％である。
【００８９】
次に、図２４〜図３１を用いて、本実施形態による電子制御スロットル装置の構成について説明する。
【００９０】
図２４は、本発明の第１の実施形態による電子制御スロットル装置の縦断面図である。図２５は、図４のＶ−Ｖ矢視の断面図である。図２６は、本発明の第１の実施形態による電子制御スロットル装置に用いるスロットルポジションセンサの斜視図である。図２７は、本発明の第１の実施形態による電子制御スロットル装置に用いるスロットルポジションセンサの回路図である。図２８，図２９および図３０は、図２４のギアカバーを外した状態におけるＡ矢視図である。図３１は、一つの実施形態による電子制御スロットル装置に用いるギアカバーの平面図である。なお、各図において、同一符号は、同一部分を示している。
【００９１】
図２４に示すように、スロットルボディ１は、空気通路を形成し、また各種構成部品を支持している。空気通路には、矢印ＡＩＲの方向に上から下に向かって吸入空気が流れる。スロットボディ１は、例えば、アルミダイキャスト製である。スロットルバルブ２は、ネジ等により、スロットルシャフト３に固定されている。スロットルシャフト３は、ボールベアリングによって、スロットルボディ１に対して回動可能に支持されている。モータにデューティーが印加されていない，図示の状態では、スロットバルブ２は、リターンスプリングの付勢力でメカ全開位置に保持されている。スロットルボディ１の内部の空隙には、ＤＣモータ５が収納され、固定されている。ＤＣモータ５の駆動力は、図示しないギアを介して、スロットルシャフト３に伝達され、スロットルバルブ２を回動する。
【００９２】
次に、図２５に示すように、スロットルシャフト３は、ボールベアリング４ａ，４ｂによって、スロットルボディ１に対して回動可能に支持されている。スロットルシャフト３には、ギア８が固定されている。ギア８とスロットルボディ１との間には、リターンスプリング１１が保持されている。リターンスプリング１１は、スロットルバルブ２が全開方向に移動するように、ギア８およびスロットルシャフト３に付勢力を与えている。
【００９３】
スロットルボディ１の内部の空隙には、ＤＣモータ５が収納され、固定されている。モータ５の出力軸は、ギア６が固定されている。スロットルボディ１に固定されたシャフト７Ａに対して、ギア７が回動可能に支持されている。ギア６，７，８はそれぞれ噛み合っており、モータ５の駆動力は、ギア６，７，８を介して、スロットルシャフト３に伝達される。スロットルバルブ２が回転することで、エンジンへの吸入空気流量が電子的に制御される。
【００９４】
ギアカバー９には、スロットルアクチュエータコントロールユニット(ＴＡＣＵ)２００が保持されている。ギアカバー９には、コントロールユニットカバー１２が固定され、
ＴＡＣＵ２００に水分等が付着しない構造としている。ギアカバー９には、モールド樹脂製であり、コネクタ端子１４が一体的に成形されている。コネクタ端子１４の一方の端部は、ＴＡＣＵ２００と電気的に接続されている。ギアカバー９をスロットルボディ１に取り付けることにより、コネクタ端子の他方の端部がモータ５のモータ端子５Ａと係合して、ＴＡＣＵ２００とモータ５を電気的に接続することができる。ＴＡＣＵ２００からデューティ信号がモータ５に印加されると、ＤＣモータ５が回転力を発生する。
【００９５】
また、スロットルバルブ２の位置を検出するスロットルポジションセンサ１０は、可動側部品であるブラシ１０ａと、固定側部品である抵抗体１０ｂとから構成されている。ブラシ１０ａは、スロットルシャフト３と嵌合することで、スロットルバルブ２とリジットになる構成である。抵抗体１０ｂは、ギアカバー９内に組み込まれている。ブラシ１０ａが抵抗体１０ｂと接触することで、スロットルバルブ２の位置を電圧に変換してコントロールユニット１２に出力する構成となっている。
【００９６】
ここで、図２６および図２７を用いて、スロットルポジションセンサ１０の構成について説明する。図２６に示すように、スロットルポジションセンサ１０は、４個のブラシ
１０ａ１，１０ａ２，１０ａ３，１０ａ４と、４個の抵抗体１０ｂ１,１０ｂ２,１０ｂ３，１０ｂ４とから構成されている。ブラシ１０ａ１，１０ａ２と、抵抗体１０ｂ１，10b2とにより、第１のスロットルポジションセンサを構成し、ブラシ１０ａ３，１０ａ４と、抵抗体１０ｂ３，１０ｂ４とにより、第２のスロットルポジションセンサを構成する。本実施例はガソリンエンジンシステム用のスロットルポジションセンサ、すなわち、２系統のスロットルポジションセンサを備えた構成となっているが、デイーゼルエンジン用としては２系統の内１系統のみを使用する構成となっている。
【００９７】
図２７に示すように、一方のスロットルポジションセンサは、抵抗体１０ｂ１，10b2に対して、ブラシ１０ａ１，１０ａ２が摺動可能に接触している。抵抗体１０ｂ２の両端には、電源Ｖから直流電圧が供給される。そして、抵抗体１０ｂ１から電圧を検出することで、ブラシ１０ａの位置，すなわち、スロットルバルブ２の位置を電圧信号として検出することができる。
【００９８】
ＴＡＣＵ２００は、通常の制御では、スロットルポジションセンサ１０の出力を用い、スロットルバルブ２の位置が目標開度に合致するように、フィードバック制御する。
【００９９】
ギア７とスロットルボディ１との間には、ワッシャー１５が装着されている。ワッシャー１５は、耐摩耗性プラスチック材料，例えば、モリブデン入りのＰＡ６６ナイロンからなる。モータ５に通電されていない状態では、モータ５は駆動力を発生していない。このときは、スロットルバルブ２は、リターンスプリング１１によってメカ全開位置に保持されている。また、ギア６およびギア８は各々モータシャフト，スロットルシャフト３にリジットに固定された状態であるが、ギア７は、シャフト７Ａ上にフリーな状態で構成されている。本実施形態によるスロットル制御装置は、車両に搭載されるため、このようなギア７がフリーな状態にあると、車両の振動により、ギア７は、シャフト７Ａのスラスト方向に振動し、ギア７の端面がスロットルボディ１に打ち付けられることによる異音の発生や、スロットルボディ１の傷つき，摩耗が発生する。ちなみに、スロットルボディ１がアルミダイキャスト製であるのに対して、ギアは、アルミより高強度の焼結合金製である。そこで、異音の発生や傷つき等を防ぐために、耐摩耗製プラスチック材料からなるワッシャー１５を備えている。
【０１００】
次に、図２８は、図２５のギアカバー９を外した状態でのＡ矢視図である。モータ５は、モータ固定プレート５Ｂをスロットルボディ１にネジ止めすることにより、固定されている。プレート５Ｂの開口部からは、モータ５の電源端子５Ａが突出している。
【０１０１】
スロットルボディ１には、ギア９の近傍の位置において、メカ全閉ストッパ１３Ａが取り付けられている。モータ５に１００％デューティーの信号が供給されると、ギア８が矢印Ｂ１方向（スロットルバルブ２の閉じ方向）に回動し、ギア８に形成されたストッパ端部８Ａが、メカ全開ストッパ１３Ａに当接して、メカ全開位置に保持される。
【０１０２】
ディーゼルエンジン用電子制御スロットル装置は、ＤＣモータ５やスロットルポジションセンサ１０等の異常がコントロールユニット１２で検出された場合は、即座にＤＣモータ５の電源を切断または制御デューティーを０％に固定し、開方向に付勢されたリターンスプリング１１の付勢力のみでメカ全開位置１３Ｂに戻る仕様となっている。
【０１０３】
次に、図２９は、図２８の状態から、ギア７を取り外した状態を示している。ギア８は、約１／３形状のギアである。ギア８の一方の端部は、ストッパ端部８Ａとして機能し、他方の端部も、ストッパ端部８Ｂとして機能する。スロットルボディ１には、ギア９の近傍の位置において、メカ全開ストッパ１３Ｂが取り付けられている。モータ５にデューティー信号または電圧が供給されていないと、開方向に付勢されたリターンスプリング１１の付勢力によりストッパ端部８Ｂがメカ全開ストッパ１３Ｂに当接し、スロットルバルブ２は、メカ全開位置に位置する。すなわち、モータ５にデューティーが印加されていない状態では、スロットルバルブ２は、メカ全開位置に保持されつづけている。
【０１０４】
次に、図３０は、図２９の状態から、ギア８を取り外した状態を示している。リターンスプリング１１は、１個のみ用いられている。リターンスプリング１１の一方の端部11Ａは、スロットルボディ１の一部１Ａと係合し、他方の端部１１Ｂは、ギア８に係合しており、スロットルバルブ２を開き方向に付勢力を作用している。
【０１０５】
次に、図３１は、ギアカバー９の平面図である。ギアカバー９には、コネクタ端子１４が設けられている。また、ギアカバー９には、ＥＣＵ３００や外部の電源と接続するためのコネクタ９Ａが設けられており、この内部の端子が、ＴＡＣＵ２００に接続されている。
【０１０６】
次に、図３２を用いて、本実施形態による電子制御スロットル装置のスロットルアクチュエータコントロールユニット（ＴＡＣＵ）２００のシステム構成について説明する。
【０１０７】
図３２は、本発明の第１の実施形態による電子制御スロットル装置のスロットルアクチュエータコントロールユニット（ＴＡＣＵ）のシステム構成図である。なお、図２１，図２４および図２５と同一符号は、同一部分を示している。
【０１０８】
スロットルアクチュエータコントロールユニット（ＴＡＣＵ）２００は、ＣＰＵ２１０と、モータドライブ回路（ＭＤＣ）２３０とから構成される。ＣＰＵ２１０は、差演算部２１２と、ＰＩＤ演算部２１４と、制御量演算部２１６と、制御部２１８とから構成されている。
【０１０９】
差演算部２１２は、ＥＣＵ３００が出力する目標開度θobj と、スロットルポジションセンサ１０が出力するスロットルバルブの実開度θthの開度差Δθthを演算する。ＰＩＤ演算部２１４は、差演算部２１２が出力する開度差Δθthに基づいて、ＰＩＤ制御量
ｕ（ｔ）を演算する。ＰＩＤ演算により求められるＰＩＤ制御量ｕ（ｔ）は、（Ｋｐ・
Δθth＋Ｋｄ・（ｄΔθth／ｄｔ）＋Ｋｉ・ΣΔθth・ｄｔ）として求められる。なお、Ｋｐは比例定数であり、Ｋｄは微分定数であり、Ｋｉは積分定数である。制御量演算部
２１６は、ＰＩＤ制御量ｕ（ｔ）に基づいて、後述するＨブリッジ回路２３４のオン・オフするスイッチを選択し、電流の流す方向を決定し、またＨブリッジ回路２３４のスイッチをオン・オフするデューティを決定して、制御量信号として出力する。制御部２１８は、図３４を用いて詳述するように、目標開度θthに基づいて、ＥＧＲ制御またはＤＰＦ制御が行われているか否かを判定し、ＥＧＲ制御またはＤＰＦ制御が行われていない場合には、スロットルバルブを全開するための制御を実行し、必要に応じて、ＰＩＤ演算部214や、制御量演算部２１６や、ＭＤＣ２３０に電圧ＶＢを供給するスイッチＳＷ１の開閉を制御する。
【０１１０】
モータドライブ回路(ＭＤＣ)２３０は、ロジックＩＣ２３２と、Ｈブリッジ回路２３４とを備えている。ロジックＩＣ２３２は、制御量演算部２１６が出力する制御量信号に基づいて、Ｈブリッジ回路２３４の４個のスイッチにオンオフ信号を出力する。Ｈブリッジ回路２３４は、オンオフ信号に応じてスイッチが開閉し、必要な電流をモータ５に供給して、モータ５を正転若しくは逆転する。
【０１１１】
次に、図３３を用いて、本実施形態による電子制御スロットル装置に用いるＨブリッジ回路２３４の構成について説明する。
【０１１２】
図３３は、本発明の第１の実施形態による電子制御スロットル装置に用いるＨブリッジ回路の構成を示す回路図である。
【０１１３】
Ｈブリッジ回路２３４は、４個のトランジスタＴＲ１，ＴＲ２,ＴＲ３,ＴＲ４と、４個のダイオードＤ１，Ｄ２，Ｄ３，Ｄ４とが図示するように結線され、モータ５に電流を流す。例えば、ゲート信号Ｇ１とゲート信号Ｇ４がハイレベルとなり、トランジスタＴＲ１，ＴＲ４が導通すると、波線Ｃ１のように電流が流れる。例えば、このとき、モータ５は正転する。また、ゲート信号Ｇ２とゲート信号Ｇ３がハイレベルとなり、トランジスタ
ＴＲ２，ＴＲ３が導通すると、一点鎖線Ｃ２のように電流が流れる。例えば、このとき、モータ５は逆転する。さらに、ゲート信号Ｇ３とゲート信号Ｇ４がハイレベルとなり、トランジスタＴＲ３，ＴＲ４が導通すると、二点鎖線Ｃ３のように電流が流れることが可能となる。このとき、モータ５の駆動軸に外部から駆動力が伝達され、モータ５の回転子が回転すると、モータ５は発電機として動作し、回生制動の動作を行わせることができる。なお、トランジスタＴＲ１，ＴＲ２が同時に導通するようにしても、モータ５を回生制動させることは可能である。
【０１１４】
なお、本実施例は、Ｈブリッジ回路をインテグレート化したワンチップマイコンを使用した場合であり、デジタル信号をロジックＩＣに与え自由にトランジスタのＯＮ，ＯＦＦをコントロールできるものである。しかし、本実施形態においては、モータの駆動回路の状態をコントロールできれば目的を達成できるので、Ｈブリッジ自体が４個のトランジスタを用いて構成されていても、インテグレート化されたワンチップＩＣを使って構成されていてもよいものである。
【０１１５】
次に、図２４及び図２５を用いて、本実施形態による電子制御スロットル装置の制御部２１８による制御動作について説明する。
【０１１６】
図２４は、本発明の第１の実施形態による電子制御スロットル装置の制御部による制御内容を示すフローチャートである。図２５は、本発明の第１の実施形態による電子制御スロットル装置の制御部による制御内容の説明図である。
【０１１７】
ステップｓ１００において、制御部２１８は、ＥＧＲ制御またはＤＰＦ制御が終了したか否かを判定する。終了していないときは、ステップｓ１１０において、通常のフィードバック制御を継続する。終了したときは、ステップｓ１２０において、全開までの目標角度制御を実行する。
【０１１８】
ここで、ステップｓ１００の判定において、制御部２１８は、ＥＣＵ３００から入力した目標開度を用いて、ＥＧＲ制御またはＤＰＦ制御が終了したか否かを判定する。例えば、図２３で説明したように、スロットル開度制御領域が０〜１００％の範囲の場合、
（Ｖ１〜Ｖ２）の範囲（例えば、１０〜８０％）が）ＥＧＲ制御またはＤＰＦ制御領域である。したがって、ＥＣＵ３００から入力する目標開度が、１０〜８０％の範囲にあれば、制御部２１８はＥＧＲ制御またはＤＰＦ制御中であると判断し、目標開度が０〜１０％が終了したと判断する。また、ＥＣ若しくは８０〜１００％であれば、制御部２１８は
ＥＧＲ制御またはＤＰＦ制御Ｕ３００からＥＧＲ制御またはＤＰＦ制御終了のＦｌａｇを受信したかどうかで判断するようにすることもできる。
【０１１９】
次に、図２５を用いて、ステップｓ１２０における全開までの目標角度制御について説明する。図２５において、横軸は時間ｔを示している。縦軸は、スロットル開度（制御）開度）θth及びモータデューティＤｕを示している。スロットル開度θthは、原点に近い方が全閉側であり、原点から遠ざかるほど全開側に近づく。また、モータデューティＤｕは、原点に近い方がデューティ１００％に近い側であり、原点から遠ざかるほど０％に近づく。
【０１２０】
図中、実線θthがスロットル開度の変化を示し、破線Ｄｕがモータに印加するデューティを示している。そして、時刻ｔ３までがＥＧＲ制御またはＤＰＦ制御が行われている状態を示し、時刻ｔ３以降がＥＧＲ制御またはＤＰＦ制御が終了した場合の状態を示している。また、時刻ｔ３以降において、実線θthは、本実施形態による制御が行われた場合のスロットル開度の変化を示し、一点鎖線は、本実施形態による制御が行われない場合のスロットル開度の変化を示している。
【０１２１】
時刻ｔ３までの間は、ステップｓ１１０の処理により、ＥＧＲ制御またはＤＰＦ制御が行われている。ＥＣＵ３００から入力する目標開度θobj に応じて、モータに印加するデューティＤｕが変化し、それに応じて、スロットル開度θthも変化している。
【０１２２】
時刻ｔ３において、ＥＧＲ制御またはＤＰＦ制御が終了したと判定されると、本実施形態による制御が行われない場合には、モータへの通電が遮断される，すなわち、デューティが０％の状態になる。その結果、スロットルバルブは、リターンスプリングの付勢力によって、一点鎖線で示すように、全開側に移動する。そして、時刻ｔ４において、全開ストッパに当接し、ストッパからの跳ね返りと、リターンスプリングによる引き戻しを繰り返して、最終的に制御全開にて停止する。時刻ｔ３〜時刻ｔ４までの時間Ｔ４は、例えば、１５０ｍｓである。このように高速で、スロットルバルブがリターンスプリングで引き戻されると、全開ストッパと衝突することにより、衝突音の発生及び衝撃荷重によるメカ部品の寿命低下となる。
【０１２３】
一方、本実施形態による全開までの目標角度オープンループ制御では、制御部２１８は、モータ印加デューティＤｕに示すように、ＥＧＲ制御またはＤＰＦ制御が終了したと判定される時点（時刻ｔ３）におけるデューティから徐々にデューティが減少し、時刻ｔ５においてデューティ０％となるような制御信号を、制御量演算部２１６に出力する。制御量演算部２１６は、時刻ｔ３から徐々にデューティが減少し、時刻ｔ５においてデューティ０％となるような制御信号をロジックＩＣ２３２に出力する。その結果、モータは図中破線Ｄｕで与えられるデューティ信号に応じて回転され、結果として、図中実線で示すように、スロットル開度θthは、ＥＧＲ制御またはＤＰＦ制御が終了したと判定される時点（時刻ｔ３）における開度から徐々に全開側に移動し、時刻ｔ５において全開点となる。ここで、時刻ｔ３〜時刻ｔ５までの時間Ｔ５は、例えば、５００ｍｓとなるように、デューティ信号を徐々に減少させることにより、スロットルバルブが全開点に引き戻されるときの、ギア８と全開ストッパ１３Ａとの衝突時の速度を減少して、衝突音の発生及び衝撃荷重によるメカ部品の寿命低下を防止することができる。
【０１２４】
このように、オープンループ制御時のモータ駆動デューティの与え方を全開方向に付勢されたスプリング力のみで戻るよりも応答が遅くなる（Ｔ４＜Ｔ５）ように設定すれば、全開ストッパとモータ駆動系のギアの衝突音，衝撃エネルギを低減できる。さらに、特開２００３−２１４１９６号公報に記載されているように、予め設定してある所定値を任意の時間モータに印加する制御の場合には、製品個々の応答時間等のバラツキを吸収できず、スロットルバルブが全開位置に戻ってきてもモータを動かす制御を行いつづける可能性があり、過電流でモータにダメージを与える恐れがあるが、本実施形態では、全開ストッパ位置に戻っても制御を続けるという問題が生じないものである。
【０１２５】
なお、制御部２１８は、目標となるデューティを与えるオープンループ方式でスロットル開度を制御する。ここで、このオープンループ制御時に印加するデューティーの与え方は、例えば、図２５に示したような単調減少する１次式で与えてもよく、また、放物線状等の与え方でも良く、最終的にリターンスプリング１１の付勢力のみで戻る時間より遅くなる与え方であれば、ギア８と全開ストッパ１３の衝突時の音，衝撃荷重を低減できる。
【０１２６】
以上説明したように、本実施形態では、ＥＧＲ制御またはＤＰＦ制御が終了したと判定され、全開位置にスロットルバルブを移動する際、モータに印加するデューティを徐々に減らすようにしているので、ギアと全開ストッパとの衝突時の速度を減少して、衝突音の発生及び衝撃荷重によるメカ部品の寿命低下を防止することができる。
【０１２７】
次に、図２６及び図２７を用いて、本発明の第２の実施形態による電子制御スロットル装置の制御部２１８による制御動作について説明する。
【０１２８】
本実施形態による電子制御スロットル装置のシステム構成は、図２１に示したものと同様である。また、本実施形態による電子制御スロットル装置の構成は、図２４〜図３１に示したものと同様である。さらに、本実施形態による電子制御スロットル装置のスロットルアクチュエータコントロールユニット（ＴＡＣＵ）２００のシステム構成は、図３２に示したものと同様である。また、本実施形態による電子制御スロットル装置に用いるＨブリッジ回路２３４の構成は、図３３に示したものと同様である。
【０１２９】
図３６は、本発明の第２の実施形態による電子制御スロットル装置の制御部による制御内容を示すフローチャートである。図３７は、本発明の第２の実施形態による電子制御スロットル装置の制御部による制御内容の説明図である。なお、図３４と同一のステップ番号は、同一の制御内容を示している。
【０１３０】
図３７において、横軸は時間ｔを示している。縦軸は、スロットル開度（制御開度）
θthを示している。スロットル開度θthは、原点に近い方が全閉側であり、原点から遠ざかるほど全開側に近づく。
【０１３１】
ステップｓ１００において、制御部２１８は、ＥＧＲ制御またはＤＰＦ制御が終了したか否かを判定する。終了していないときは、ステップｓ１１０において、通常のフィードバック制御を継続する。終了したときは、ステップｓ２１０において、モータ駆動回路状態制御を実行し、次に、ステップｓ２２０において、モータ駆動停止制御を実行する。なお、ステップｓ１００〜ｓ２２０までの処理は、例えば、３ｍｓ周期で繰り返し実行される。
【０１３２】
ステップｓ２１０の処理において、制御部２１８は、モータ５が回生制動の動作をするような制御信号を、制御量演算部２１６に出力する。図３３で説明したように、トランジスタＴＲ３，ＴＲ４のゲートＧ３，Ｇ４にオン信号を供給すると、モータ５が回転した場合、矢印Ｃ３の向きに電流が流れ、モータ５は回生制動動作をすることになる。そこで、制御部２１８は、トランジスタＴＲ３，ＴＲ４を導通させるような制御信号を、制御量演算部２１６に出力する。制御量演算部２１６は、トランジスタＴＲ３，ＴＲ４を導通させるような制御信号を、ロジックＩＣ２３２に出力する。このとき、スロットルバルブ２は、リターンスプリング１１によって全開方向に移動しようとする。スロットルシャフトの動きはギア８，７，６を介してモータ５に伝えられるため、モータ５は、回生制動の動作を行う。このモータ５の回生制動により、スロットルバルブが全開方向に開こうとする動きにブレーキがかけられる。
【０１３３】
すなわち、ここで重要なのは、モータの電源を切るとリターンスプリング１１の付勢力で全開方向にモータ駆動機構が回転することになるが、このときのＤＣモータ５の部品が回転する力を、モータ回路を接続した状態にすることでリターンスプリング１１の付勢力と逆方向に働く様にＨブリッジ回路のトランジスタのオン・オフ状態をコントロールすることである。このようにコントロールすると、図３７に示す様にスロットルバルブ２はモータ駆動回路接続時のようにゆっくりと動き、急激にギア８と全開ストッパが衝突するのを防げることになる。
【０１３４】
そして、ステップｓ２２０において、制御部２１８は、モータ駆動を停止する制御を実行するような制御信号を、制御量演算部２１６に出力する。すなわち、制御部２１８は、モータ印加デューティＤｕが０％となるような制御信号を、制御量演算部２１６に出力する。制御量演算部２１６は、デューティ０％となるような制御信号をロジックＩＣ２３２に出力する。その結果、モータへの通電が遮断されるので、スロットルバルブ２は、リターンスプリング１１によって全開方向に移動しようとする。
【０１３５】
また、モータ駆動停止制御は、モータ５への通電をオフするようにしてもよいものである。すなわち、制御部２１８は、図３２に示したスイッチＳＷ１をオフにして、電源ＶＢからの電力がモータ駆動回路２３０を介して、モータ５に供給されるのを停止する。以上のように、モータ駆動停止制御においては、モータ印加デューティＤｕを０％としてＨブリッジ回路のトランジスタをオフしたり、電源からモータへ電力を供給する経路の途中に設けられたスイッチをオフしたりして、モータへの通電を遮断して、モータの駆動を停止する。
【０１３６】
すなわち、ステップｓ２１０の処理により瞬間的に全開方向への動きにブレーキをかけ、次のステップｓ２２０の処理によりブレーキをはずしてリターンスプリングにより全開方向に動こうとする。ステップｓ１００〜ｓ２２０の処理は、例えば、３ｍｓ周期で繰り返されるので、ＥＧＲ制御またはＤＰＦ制御が終了したと判定される場合には、この間、ステップｓ２１０のブレーキングと、ステップｓ２２０のブレーキなし制御が繰り返され、スロットルバルブは、徐々に、全開側に移動し、例えば、時刻ｔ６に全開点に到達する。
【０１３７】
図中、時間Ｔ４は図３５に示したものと同様であり、ブレーキが全くかけられていないときのスロットル開度であるのに対して、本実施形態では、途中で周期的にブレーキをかけることにより、時刻ｔ３〜時刻ｔ６までの時間Ｔ６は、時間Ｔ４よりも長くなり、スロットルバルブが全開点に引き戻されるときの、ギア８と全開ストッパ１３Ａとの衝突時の速度を減少して、衝突音の発生及び衝撃荷重によるメカ部品の寿命低下を防止することができる。
【０１３８】
以上説明したように、本実施形態では、ＥＧＲ制御またはＤＰＦ制御が終了したと判定され、全開位置にスロットルバルブを移動する際、最初に、モータが回生制動するように、すなわち、コントロールユニット内のモータ駆動回路がモータと接続された状態を保ち続ける信号をＣＰＵの制御部から与えることで、全開位置方向に回動する様に付勢されたスプリング力と反対方向にモータの回転力を利用した力がブレーキの様に作用させることで、全開ストッパとギアなどのモータ駆動機構の構成部品間が衝突する時の衝撃エネルギーを低減することができ、、衝突音の発生及び衝撃荷重によるメカ部品の寿命低下を防止することができる。
【０１３９】
次に、図３８を用いて、本発明の第３の実施形態による電子制御スロットル装置の制御部２１８による制御動作について説明する。
【０１４０】
本実施形態による電子制御スロットル装置のシステム構成は、図２１に示したものと同様である。また、本実施形態による電子制御スロットル装置の構成は、図２４〜図３１に示したものと同様である。さらに、本実施形態による電子制御スロットル装置のスロットルアクチュエータコントロールユニット（ＴＡＣＵ）２００のシステム構成は、図３２に示したものと同様である。また、本実施形態による電子制御スロットル装置に用いるＨブリッジ回路２３４の構成は、図３３に示したものと同様である。
【０１４１】
図３８は、本発明の第３の実施形態による電子制御スロットル装置の制御部による制御内容を示すフローチャートである。なお、図３４，図３６と同一のステップ番号は、同一の制御内容を示している。
【０１４２】
本実施形態においては、ステップｓ３１０とステップｓ３２０の処理が、図３６の制御に対して追加されている。
【０１４３】
ステップｓ１００において、ＥＧＲ制御またはＤＰＦ制御が終了したと判定されると、ステップｓ３１０において、自己診断のフラグをチェックする。ここで自己診断結果の状態を確認し、異常が検出されていなければ、ステップｓ２１０，ｓ２２０において、回生制動とモータ駆動停止により、モータ回路接続時の挙動となるのでゆっくり全開ストッパ１３に当接することになる。
【０１４４】
自己診断結果、異常が検出されている場合は、ステップｓ３２０において、制御部218は、Ｈブリッジ回路の全てのトランジスタをオフすることで、図３５に一点鎖線で示したように、スロットルバルブは速やかに全開位置に移動する。
【０１４５】
このように、自己診断の結果、異常が検出されると、可能な限り早く制御を止めることにより、実車挙動の異常を防ぐことができる。
【０１４６】
次に、図３９及び図４０を用いて、本発明の第４の実施形態による電子制御スロットル装置の制御部２１８による制御動作について説明する。
【０１４７】
本実施形態による電子制御スロットル装置のシステム構成は、図２１に示したものと同様である。また、本実施形態による電子制御スロットル装置の構成は、図２４〜図３１に示したものと同様である。さらに、本実施形態による電子制御スロットル装置のスロットルアクチュエータコントロールユニット（ＴＡＣＵ）２００のシステム構成は、図３２に示したものと同様である。また、本実施形態による電子制御スロットル装置に用いるＨブリッジ回路２３４の構成は、図３３に示したものと同様である。
【０１４８】
図３９は、本発明の第４の実施形態による電子制御スロットル装置の制御部による制御内容を示すフローチャートである。図４０は、本発明の第４の実施形態による電子制御スロットル装置の制御部による制御内容の説明図である。なお、図３４、図３６と同一のステップ番号は、同一の制御内容を示している。
【０１４９】
図４０において、横軸は時間ｔを示している。縦軸は、スロットル位置θ及びモータデューティＤｕを示している。スロットル位置θは、原点に近い方が全閉側であり、原点から遠ざかるほど全開側に近づく。そして、実線が目標開度θobj を示し、破線が実開度
θth（real）を示している。また、点線で示すモータデューティＤｕは、原点に近い方がデューティ１００％に近い側であり、原点から遠ざかるほど０％に近づく。
【０１５０】
ステップｓ４１０において、制御部２１８は、ＥＣＵ３００から入力する目標開度
θobj を受信して、位置制御を行うための基準とする。
【０１５１】
次に、ステップｓ４２０において、ステップｓ４１０で受信した目標開度θobj が所定値Ａよりも大きく、かつ、目標開度θobj の変化率Δθobj が所定値Ｂよりも小さいか否かを判定する。例えば、所定値Ａは８０％であり、図２４のステップｓ１００における
ＥＧＲ制御またはＤＰＦ制御が終了したか否かを判定している。また、目標開度θobj の変化率Δθobj を判定の基準とするのは、瞬間的に目標開度θobj が所定値Ａよりも大きくなった場合を除き、定常的に目標開度θobj が所定値Ａよりも大きくなっているか否かを判定している。変化率Δθobj は、例えば、０.２５％ である。すなわち、目標開度
θobj が所定値Ａ（例えば、８０％）よりも大きく、かつ、目標開度θobj の変化率
Δθobjが所定値Ｂ（例えば、０.２５％）よりも小さい場合に、ＥＧＲ制御またはＤＰＦ制御が終了したと判定して、ステップｓ４３０に進み、そうでない場合には、ステップ
ｓ４６０に進む。
【０１５２】
ステップｓ４６０では、カウント値Ｃを０クリアして初期化する。すなわち、通常の
ＥＧＲ制御またはＤＰＦ制御が行われている状態では、カウント値Ｃは０である。次に、ステップｓ４７０において、変数Ｅが０か否かを判定する。変数Ｅは、「０」と「１」の２値を取り得るものであり、変数Ｅが「０」のときは、制御が行われている状態を示し、変数Ｅが「１」のときは、制御が行われていない状態を示している。ここでは、制御が行われており、変数Ｅが「０」とすると、ステップｓ１１０に進み、スロットル開度が目標開度となるように、フィードバック制御する。図４０において、時刻ｔ３までの間は、通常のフィードバック制御によるスロットルバルブの開度制御が行われている。この時点は、ＥＧＲ制御またはＤＰＦ制御が終了している時点であるので、このときの目標角度制御は、目標開度として、全開点近傍の任意の位置にスロットルバルブ位置として、この開度となるように制御するとともに、その開度を任意の時間（ステップｓ４４０で、Ｃ＞Ｄの条件が満たされるまでの時間）の間、保持するようにする。
【０１５３】
一方、ＥＧＲ制御またはＤＰＦ制御が終了すると、ステップｓ４３０において、カウント値Ｃに「１」を加算する。そして、ステップｓ４４０において、カウント値Ｃが所定値Ｄを越えたか否かを判定する。ステップｓ４４０の判定は、ステップｓ４３０でＥＧＲ制御またはＤＰＦ制御が終了したと判定された後、所定時間が経過したかどうかを判定するためのものである。所定値Ｄは、図４０の時刻ｔ３〜ｔ７までの時間に相当する値とし、例えば、２００ｍｓをカウントする時間である。この所定時間は、リターンスプリングの付勢力によって、図３５の一点鎖線で示したように、全開側に移動するのに要する時間
（例えば、図３５の例では、時間Ｔ４（例えば、１５０ｍｓ）よりも長く設定する。
【０１５４】
ステップｓ４４０の条件を満たさない場合、すなわち、例えば、ＥＧＲ制御またはDPF制御が終了して２００ｍｓが経過するまでは、ステップｓ４７０において、変数Ｅが０か否かを判定する。ここでは、制御が行われており、変数Ｅが「０」であり、ステップs110に進み、スロットル開度が目標開度となるように、フィードバック制御する。すなわち、図４０において、時刻ｔ３〜ｔ６までの間も、通常のフィードバック制御によるスロットルバルブの開度制御を行う。
【０１５５】
かかる制御によって、スロットルセンサの摺動抵抗の摩耗を低減することができる。接触式スロットルセンサを用いた電子制御スロットル装置の場合、一定開度保持時間（例えば、全開位置に保持されている時間）が長いと、振動等の影響により抵抗体が局部的に摩耗することになる。このような局部摩耗によって、接触スロットルポジションセンサの出力異常が発生する。そこで、本実施形態のように、所定値Ｄ相当の時間が経過するまでは、ＥＧＲ制御またはＤＰＦ制御が終了していながら、制御状態とすることにより、時刻
ｔ３〜ｔ７の間は、任意の開度に保持された時間となり、機械的全開位置に保持される時間は時刻ｔ７〜ｔ８の時間とすることができ、機械的全開位置に保持される時間を短くすることができる。このように、保持時間を短くできるため、スロットルポジションセンサを長寿命化することができる。
【０１５６】
次に、ステップｓ４４０の判定において、カウント値Ｃが所定値Ｄを越えると、すなわち、図４０において、時刻ｔ７になると、ステップｓ２１０，ステップｓ２２０において、図３６で説明した回生制動によるブレーキ動作と、非ブレーキ動作を繰り返し、ギア９はゆっくり全開ストッパ１３に当接する。なお、ステップｓ２１０，ｓ２２０の処理において、ステップｓ２１０の処理を除いてもよいものである。すなわち、ステップｓ１１０では、全開点近傍の所定位置に所定時間制御しているので、ステップｓ２２０の処理によりモータへの通電を遮断して直ちに、その所定位置から全開位置まで移動したとしても、移動距離が短いため、ギア８が全開ストッパ１３Ａに当接するときの衝撃力は小さい場合が多いためである。
【０１５７】
その後、ステップｓ４５０において、で制御状態Ｆｌａｇ（Ｅ）を「１」とし、ループを抜ける。
【０１５８】
以上のように、本実施形態では、ＥＧＲ領域（時刻ｔ３以降）となり、かつ、条件成立状態の継続時間（Ｃ＞Ｄ）が満たされた時刻ｔ７以降において、ブレーキ動作とモータへの通電停止を繰り返し、制御状態から非制御状態に移行して、ギア８と全開ストッパ１３がゆっくりと当接するようにしている。
【０１５９】
また、ＥＧＲ制御またはＤＰＦ制御終了状態から、ＥＧＲ制御またはＤＰＦ制御状態に復帰する際には、目標開度＞Ａ，目標開度変化率＜Ｂ、またはＣ＞Ｄの何れかひとつが非成立となれることにより復帰できる。このとき、一度非制御状態になっているので制御状態ＦｌａｇはＥ＝１となっている。そこで、ステップｓ４７０の判定で、ステップｓ480に進み、制御量をクリアする。
【０１６０】
図３２で説明したように、ＰＩＤ演算部２１４は、ＥＧＲ制御またはＤＰＦ制御状態の時も、ＥＧＲ非制御状態の時も、デューティを求めるＰＩＤ演算を繰り返し実行している。ＰＩＤ制御量ｕ（ｔ）＝（Ｋｐ・Δθth＋Ｋｄ・（ｄΔθth／ｄｔ）＋Ｋｉ・ΣΔθth・ｄｔ）が演算されている。モータ通電オフ状態時は目標開度と実開度の偏差が閉じ側に大きくなっており、積分項の働きを行う部分は閉じ方向の制御デューティーが過大の状態となっている。スロットル位置制御は通常新目標開度付近でブレーキをかけて収束性を良くするが、上述のように閉じ方向に積分項相当の値が過大に蓄積されていると、正常なブレーキが加わらず、オーバーシュートが大きくなったり、収束性を悪化させる可能性がある。
【０１６１】
そこで、本実施形態では、ステップｓ４８０において、制御量をゼロクリアーする。ここで、ゼロクリアする制御量としては、積分項相当の部分のみでもよく、また、印加デューディに関わる値の全てでもよいものである。これにより、応答時間等の制御性能が改善できる。その後、ステップｓ４９０において、で制御状態ＦｌａｇをＥ＝０とし、通常制御に移行し、ループを抜ける。
【０１６２】
以上説明したように、本実施形態でも、全開ストッパとギアなどのモータ駆動機構の構成部品間が衝突する時の衝撃エネルギーを低減することができ、衝突音の発生及び衝撃荷重によるメカ部品の寿命低下を防止することができる。また、全開位置における保持時間を短くして、接触式スロットルセンサを超寿命化することができる。さらに、非制御状態から制御状態に移行する際には、制御量をゼロクリアすることにより、応答性等の制御性能を改善することができる。
【０１６３】
次に、図４１を用いて、本発明の他の実施形態による電子制御スロットル装置のシステム構成について説明する。
【０１６４】
図４１は、本発明の他の実施形態による電子制御スロットル装置のシステム構成図である。
【０１６５】
なお、以上の各実施形態の説明では、ＴＡＣＵ２００と、ＥＣＵ３００とが別体の構成であるとしたが、図４１に示すように、ＴＡＣＵ２００とＥＣＵ３００とが一体構成であってもよいものである。
【０１６６】
以上説明した実施例におけるモータ制御による吸気絞り弁としてのスロットルバルブ装置、およびその制御方法の特徴を纏めると以下の通りである。
【０１６７】
スロットルバルブの電子的位置制御は、例えば、特開平７−３３２１３６号公報に記載されるように、スロットルバルブの実開度と目標開度の偏差に応じた制御量をＰＩＤ制御等の手法を用いて演算し、求められた制御量をパルス駆動のオンタイムとオフタイムの比であるデューティー比に変換し、Ｈブリッジ回路を介してＰＷＭ信号を直流モータに供給し、モータがトルクを発生し、その発生トルクでギア，スロットルシャフトを介してスロットルバルブが駆動することで位置制御するものが知られている。
【０１６８】
上述の電子制御スロットル装置は、いずれも、ガソリンエンジン用電子制御スロットル装置であるが、昨今ＥＧＲ効率向上，ディーゼリング改善等を目的に、ディーゼルエンジンに電子制御スロットル装置が適用されつつある。ディーゼルエンジン用電子制御スロットル装置は、ガソリンエンジン用と異なり、主にＥＧＲ効率向上、吸気を絞ることで排気温を上げＤＰＦ（Diesel Particuler Filter）内のすすを燃焼させることを目的に制御を行うため、ＥＧＲ制御またはＤＰＦ制御を行っていないときはモータ制御を止め、スロットルバルブ位置は全開位置にある。したがって、１）全開位置に長い時間保持されていること、２）モータ制御を行っている状態から止めた状態、もしくはその逆の状態が存在すること、また、３）暴走モードが無いためにモータ通電Ｏｆｆ時には任意の開度で一定空気量を供給するデフォルト機構がいらない点が大きく異なる。
【０１６９】
ディーゼルエンジン用電子制御スロットル装置は、ＥＧＲ制御またはＤＰＦ制御が終了すると空気流量を制御する必要が無くなり、モータ通電ＯＦＦし、リターンスプリングで最も圧力損失の少ない全開位置にスロットルバルブを戻すことになる。つまり常に制御しつづけているガソリンエンジン用の電子制御スロットル装置とは異なり、必ず制御状態から制御を止める状態、もしくは制御を止めた状態から制御を開始する状態が存在する。
【０１７０】
先ず制御状態から制御を止める状態について考えると、第１の問題として、制御を止めた時に単純にモータの通電ＯＦＦまたは印加デューティーを０％にし、スロットルバルブ位置を開き方向に付勢されたリターンスプリング力のみで全開位置まで戻す仕様とすると、全開ストッパと駆動機構部品が激しく衝突し、衝突音の発生及び衝撃荷重によるメカ部品の寿命低下という問題が発生する。
【０１７１】
それに対して、例えば、特開２００２−２５６８９２号公報に記載のように、全開ストッパとギア間に干渉機構を設け、メカ的に衝突による問題を回避しようとする電子制御スロットル装置が知られている。
【０１７２】
また、例えば、特開２００３−２１４１９６号公報に記載されるように、予め設定してある所定値を任意の時間モータに印加することにより、通常制御時よりもモータを低速で動かして、制御的に衝突による問題を回避しようとする電子制御スロットル装置が知られている。
【０１７３】
しかしながら、特開２００２−２５６８９２号公報に記載の方式では、緩衝機構分のコストアップ、緩衝機構が劣化した際の効果低減及び部品数増加による信頼性の低下という問題がある。
【０１７４】
また、特開２００３−２１４１９６号公報に記載の方式では、予め設定してある所定値を任意の時間モータに印加する制御であるため、製品個々の応答時間等のバラツキを吸収できず、スロットルバルブが全開位置に戻ってきてもモータを動かす制御を行いつづける可能性があり、過電流でモータにダメージを与えたり、それによる過荷重がメカ部品に加わりメカ部品にダメージを与える恐れがあるという問題がある。
【０１７５】
本発明の実施例ではこの点が解消され、信頼性が向上し、モータやメカ部品に対するダメージもなく、メカの衝突音・衝撃エネルギを低減できる電子制御スロットル制御装置が提供される。
【０１７６】
本実施例によれば、
（１）上記目的を達成するために、スロットルボディに回動可能に支持されたスロットルバルブを駆動するアクチュエータと、前記スロットルバルブが全開方向に戻るように付勢力を与える単一のリターンスプリングと、前記スロットルバルブの開度を検出するスロットルポジションセンサとを有する電子スロットルボディと、前記スロットルポジションセンサにより検出された前記スロットルバルブの開度と目標開度とに応じて、前記アクチュエータを駆動するスロットルアクチュエータコントロールユニットとを有する電子制御スロットル装置であって、前記スロットルアクチュエータコントロールユニットは、EGR制御またはＤＰＦ制御が終了した際に、前記リターンスプリングのみによって前記スロットルバルブが全開方向に移動する時間よりも長い時間で前記スロットルバルブが全開方向に移動するように前記アクチュエータを制御する制御手段を備えるようにしたものである。
【０１７７】
かかる構成により、信頼性が向上し、モータやメカ部品に対するダメージもなく、メカの衝突音・衝撃エネルギを低減し得るものとなる。
【０１７８】
（２）上記（１）において、好ましくは、前記制御手段は、前記スロットルバルブが全開方向に徐々に移動するような目標角度となる制御信号を前記アクチュエータに与えて、オープンループ制御するようにしたものである。
【０１７９】
（３）上記（２）において、好ましくは、前記制御手段は、前記アクチュエータに与えるデューティ信号のデューティを徐々に減らすようにしたものである。
【０１８０】
（４）上記（１）において、好ましくは、前記制御手段は、ＥＧＲ制御またはＤＰＦ制御が終了すると、前記アクチュエータの制御状態と非制御状態とを繰り返えすようにしたものである。
【０１８１】
（５）上記（４）において、好ましくは、前記制御手段は、前記制御状態において、前記アクチュエータをブレーキとして動作させるようにしたものである。
【０１８２】
（６）上記（４）において、好ましくは、前記制御手段は、前記制御状態において、前記アクチュエータを回生制動状態で制御するようにしたものである。
【０１８３】
（７）上記（４）において、好ましくは、前記制御手段は、前記非制御状態において、前記アクチュエータへの通電を遮断するようにしたものである。
【０１８４】
（８）上記（７）において、好ましくは、前記制御手段は、前記アクチュエータに与えるデューティ信号のデューティを０％にするようにしたものである。
【０１８５】
（９）上記（４）において、好ましくは、前記制御手段は、スロットルポジションセンサ等の自己診断結果が異常の場合には、前記アクチュエータへの通電を遮断するようにしたものである。
【０１８６】
（１０）上記（４）において、好ましくは、前記制御手段は、ＥＧＲ制御またはＤＰＦ制御が終了と判定された後、所定時間の間、前記スロットルバルブの開度を、全開点近傍の位置に所定時間保持するように制御した後、前記アクチュエータの前記制御状態と前記非制御状態とを繰り返えすようにしたものである。
【０１８７】
（１１）上記（１）において、好ましくは、前記制御手段は、ＥＧＲ制御またはＤＰＦ制御が終了と判定された後、所定時間の間、前記スロットルバルブの開度を、全開点近傍の位置に所定時間保持するように制御した後、前記アクチュエータを非制御状態とするようにしたものである。
【０１８８】
（１２）上記(１１)において、好ましくは、前記制御手段は、ＥＧＲ制御またはＤＰＦ制御が終了と判定された後、所定時間の間、前記スロットルバルブの開度を、全開点近傍の位置に所定時間保持するように制御した後、前記アクチュエータの制御状態と前記非制御状態とを繰り返えすようにしたものである。
【０１８９】
（１３）上記（１１）において、好ましくは、前記制御手段は、前記スロットルバルブの目標開度が所定目標開度を超えること、且つ、前記目標開度の変化量が所定開度変化量以下であること、且つ目標開度が所定開度以上でその変化量が所定開度変化量以下でという状態が所定時間以上継続した場合に、前記ＥＧＲ制御またはＤＰＦ制御が終了と判定するようにしたものである。
【０１９０】
（１４）上記(１２)において、好ましくは、前記制御手段は、ＥＧＲ制御またはＤＰＦ制御の終了と判定した後、前記３つの条件の内少なくとも一つが満たされない場合に、再びアクチュエータ制御を開始するようにしたものである。
【０１９１】
（１５）上記（１３）において、好ましくは、前記制御手段は、再びアクチュエータ制御を開始する際には、アクチュエータに印加するアクチュエータ駆動デューティ計算部の値を初期化してから、制御を開始するようにしたものである。
【０１９２】
（１６）上記（１５）において、好ましくは、前記制御手段は、アクチュエータ駆動デューティ計算部の値の初期化は、少なくとも積分項もしくはそれ相当の働きをする部分を初期化するようにしたものである。
【０１９３】
（１７）上記（１）において、好ましくは、前記電子スロットルボディは、前記アクチュエータの出力軸に固定された第１のギアと、前記スロットルバルブを支持するスロットルシャフトに固定された第２のギアと、前記第１のギアから前記第２のギアの駆動力を伝達する中間ギアを備え、さらに、前記中間ギアと、この中間ギアを支持する前記スロットルボディとの間に、耐摩耗性部材のワッシャを備えるようにしたものである。
【０１９４】
（１８）また、上記目的を達成するために、スロットルボディに回動可能に支持されたスロットルバルブを駆動するアクチュエータと、前記スロットルバルブが全開方向に戻るように付勢力を与える単一のリターンスプリングと、前記スロットルバルブの開度を検出するスロットルポジションセンサとを有する電子スロットルボディと、前記スロットルポジションセンサにより検出された前記スロットルバルブの開度と目標開度とに応じて、前記アクチュエータを駆動するスロットルアクチュエータコントロールユニットとを有する電子制御スロットル装置であって、前記スロットルアクチュエータコントロールユニットは、ＥＧＲ制御またはＤＰＦ制御が終了した際に、前記リターンスプリングのみによって前記スロットルバルブが全開方向に移動する時間よりも長い時間で前記スロットルバルブが全開方向に移動するように、前記スロットルバルブが全開方向に徐々に移動するような目標角度となる制御信号を前記アクチュエータに与えて、オープンループ制御する制御手段を備えるようにしたものである。
【０１９５】
かかる構成により、信頼性が向上し、モータやメカ部品に対するダメージもなく、メカの衝突音・衝撃エネルギを低減し得るものとなる。
【０１９６】
（１９）また、上記目的を達成するために、スロットルボディに回動可能に支持されたスロットルバルブを駆動するアクチュエータと、前記スロットルバルブが全開方向に戻るように付勢力を与える単一のリターンスプリングと、前記スロットルバルブの開度を検出するスロットルポジションセンサとを有する電子スロットルボディと、前記スロットルポジションセンサにより検出された前記スロットルバルブの開度と目標開度とに応じて、前記アクチュエータを駆動するスロットルアクチュエータコントロールユニットとを有する電子制御スロットル装置であって、前記スロットルアクチュエータコントロールユニットは、ＥＧＲ制御またはＤＰＦ制御が終了した際に、前記リターンスプリングのみによって前記スロットルバルブが全開方向に移動する時間よりも長い時間で前記スロットルバルブが全開方向に移動するように、ＥＧＲ制御またはＤＰＦ制御が終了すると、前記アクチュエータの制御状態と非制御状態とを繰り返えす制御手段を備えるようにしたものである。
【０１９７】
かかる構成により、信頼性が向上し、モータやメカ部品に対するダメージもなく、メカの衝突音・衝撃エネルギを低減し得るものとなる。
【０１９８】
（２０）また、上記目的を達成するために、スロットルボディに回動可能に支持されたスロットルバルブを駆動するアクチュエータと、前記スロットルバルブが全開方向に戻るように付勢力を与える単一のリターンスプリングと、前記スロットルバルブの開度を検出するスロットルポジションセンサとを有する電子スロットルボディと、前記スロットルポジションセンサにより検出された前記スロットルバルブの開度と目標開度とに応じて、前記アクチュエータを駆動するスロットルアクチュエータコントロールユニットとを有する電子制御スロットル装置であって、前記スロットルアクチュエータコントロールユニットは、ＥＧＲ制御またはＤＰＦ制御が終了した際に、前記リターンスプリングのみによって前記スロットルバルブが全開方向に移動する時間よりも長い時間で前記スロットルバルブが全開方向に移動するように、ＥＧＲ制御またはＤＰＦ制御が終了と判定された後、所定時間の間、前記スロットルバルブの開度を、全開点近傍の位置に所定時間保持するように制御した後、前記アクチュエータの前記制御状態と前記非制御状態とを繰り返えす制御手段を備えるようにしたものである。
【０１９９】
かかる構成により、信頼性が向上し、モータやメカ部品に対するダメージもなく、メカの衝突音・衝撃エネルギを低減し得るものとなる。
【０２００】
（２１）また、上記目的を達成するために、スロットルボディに回動可能に支持されたスロットルバルブを駆動するアクチュエータと、前記スロットルバルブが全開方向に戻るように付勢力を与える単一のリターンスプリングと、前記スロットルバルブの開度を検出するスロットルポジションセンサとを有する電子スロットルボディと、前記スロットルポジションセンサにより検出された前記スロットルバルブの開度と目標開度とに応じて、前記アクチュエータを駆動するスロットルアクチュエータコントロールユニットとを有する電子制御スロットル装置であって、前記スロットルアクチュエータコントロールユニットは、ＥＧＲ制御またはＤＰＦ制御が終了した際に、前記リターンスプリングのみによって前記スロットルバルブが全開方向に移動する時間よりも長い時間で前記スロットルバルブが全開方向に移動するように、ＥＧＲ制御またはＤＰＦ制御が終了と判定された後、所定時間の間、前記スロットルバルブの開度を、全開点近傍の位置に所定時間保持するように制御した後、前記アクチュエータを非制御状態とする制御手段を備えるようにしたものである。
【０２０１】
かかる構成により、信頼性が向上し、モータやメカ部品に対するダメージもなく、メカの衝突音・衝撃エネルギを低減し得るものとなる。
【０２０２】
（２２）また、上記目的を達成するために、スロットルボディに回動可能に支持されたスロットルバルブを駆動するアクチュエータと、前記スロットルバルブが全開方向に戻るように付勢力を与える単一のリターンスプリングと、前記スロットルバルブの開度を検出するスロットルポジションセンサとを有する電子スロットルボディと、前記スロットルポジションセンサにより検出された前記スロットルバルブの開度と目標開度とに応じて、前記アクチュエータを駆動するスロットルアクチュエータコントロールユニットとを有する電子制御スロットル装置であって、前記電子スロットルボディは、前記アクチュエータの出力軸に固定された第１のギアと、前記スロットルバルブを支持するスロットルシャフトに固定された第２のギアと、前記第１のギアから前記第２のギアの駆動力を伝達する中間ギアを備え、さらに、前記中間ギアと、この中間ギアを支持する前記スロットルボディとの間に、耐摩耗性部材のワッシャを備えるようにしたものである。
【０２０３】
以下に本発明が適用されるＥＧＲガス制御システムについて説明する。
【０２０４】
図１０は、本発明が適用される一実施形態による内燃機関の排気ガス還流システムの構成を示す。
【０２０５】
エンジンに吸入される空気は、エアクリーナ４１において吸気中の塵を除去される。そして、吸気流量検出器４２によって、吸気流量Ｇ１が検出される。検出された吸気流量
Ｇ１の信号は、エンジンコントロールユニット（ＥＣＵ）４２１及び排気ガス環流コントローラ（ＥＧＲＣＯＮＴ）４２０に入力する。吸気は、ターボチャージャーのコンプレッサ４３にて加圧され、吸気管４４を通過し、吸気流量制御弁５で流量若しくは圧力が制御される。吸気は、さらに、吸気マニホールド６に流入し、エンジン４７の各気筒に分配される。
【０２０６】
吸気流量制御弁４５の開度は、排気ガス環流コントローラ４２０から出力される吸気流量制御信号ＣＴＨによって制御される。吸気流量制御弁４５はモータで駆動される例えば、バタフライ式の弁であり、バタフライ弁の開度信号が検出され、開度信号θTHとして、排気ガス環流コントローラ４２０に取り込まれる。
【０２０７】
エンジン４７に設けられた燃料噴射弁４１９からは、エンジン４７のシリンダに燃焼用燃料が供給される。燃料噴射弁４１９への燃料供給は、燃料配管４１８を介して燃料ポンプ１７が行われる。また、燃料噴射弁４１９の噴射量は、ＥＣＵ４２１によって制御され、ＥＣＵ４２１は、燃料噴射量信号ＦＩＮＪを燃料噴射弁４１９に供給する。
【０２０８】
エンジン４７で燃焼が終了した排気は、排気マニホールド４８により集合され、ターボチャージャーのタービン４９を通過した後、触媒４１０，排気管４１１を通って大気中に排気される。排気マニホールド４８には分岐部４１２が設けられており、エンジン４７からの排気ガスの一部が分岐される。分岐された排気ガスは、還流ガスとして、還流管413aで導かれる。環流管４１３ａには、還流ガス冷却器４１４が設けられている。還流ガス冷却器４１４によって冷却された還流ガスは、還流管４１３ｂ，還流ガス制御弁４１６を通過し、吸気マニホールド４６に還流する。
【０２０９】
還流ガス制御弁４１６の開度は、排気ガス環流コントローラ４２０から出力される環流ガス制御弁４１６の開度制御信号ＣＥＧによって制御される。環流ガス制御弁４１６は、例えば、シートバルブ式の弁であり、シートバルブのストローク量が検出され、ストローク信号ＳＴＥＧとして、排気ガス環流コントローラ４２０に取り込まれる。環流ガス制御弁４１６として、例えば、バタフライ式の弁を用いる場合には、バタフライ弁の開度信号が、排気ガス環流コントローラ４２０に取り込まれる。
【０２１０】
還流管４１３ｂには、還流ガス流量検出器４１５が設けられており還流管内部を流れる還流ガス流量Ｇ２を測定する。測定された環流ガス流量Ｇ２は、排気ガス環流コントローラ４２０に入力する。なお、還流ガス冷却器４１４は、還流ガスの温度を下げるため設けられているが、省略することも可能である。
【０２１１】
ＥＣＵ４２１には、エンジン７の回転数信号ＮＥや、吸気流量検出器２からの吸気流量信号Ｇ１等のほか図示されないエンジンや車両の状態を示す信号が入力する。ＥＣＵ２１は、これらの信号に基づいて演算等を行い、各種デバイスへ制御指令値として各種デバイスに送る。ＥＣＵ４２１は、エンジン７の回転数信号ＮＥや吸気流量信号Ｇ１等の信号に基づいてエンジン４７の運転状態を判定する。ＥＣＵ４２１は、この運転状態に応じて、還流ガス還流率指令値ＲＳＥＴを排気ガス環流コントローラ４２０に出力する。
【０２１２】
排気ガス環流コントローラ４２０は、吸気流量Ｇ１と環流ガス流量Ｇ２とから排気ガスの環流率Ｒを求める。そして、排気ガス環流コントローラ４２０は、求められた環流率Ｒが還流ガス還流率指令値ＲＳＥＴと一致するように、吸気流量制御弁４５および／または還流ガス制御弁１６の開度をフィードバック制御する。すなわち、本実施形態では、排気ガスの環流量が目標値となるように、還流ガス制御弁４１６だけなく、吸気流量制御弁
４５をも制御する点に特徴がある。
【０２１３】
次に、図１１及び図１２を用いて、本実施形態による内燃機関の排気ガス還流装置における排気ガス環流コントローラの制御内容について説明する。
【０２１４】
図１１は、本発明が適用される内燃機関の排気ガス還流装置の制御系のブロック図である。図１２は、本発明が適用される内燃機関の排気ガス還流装置における排気ガス環流コントローラの制御内容を示すフローチャートである。なお、図１０と同一符号は、同一部分を示している。
【０２１５】
図１１に示すように、排気ガス環流コントローラ４２０には、ＥＣＵ４２１が出力する還流ガス還流率指令値ＲＳＥＴ，吸気流量検出器４２によって検出された吸気流量信号
Ｇ１及び還流ガス流量検出器４１５によって検出された還流ガス流量Ｇ２が入力する。排気ガス環流コントローラ４２０は、排気ガスの環流率Ｒが目標値ＲＳＥＴとなるように、還流ガス制御弁４１６に開度制御信号ＣＥＧを出力し、吸気流量制御弁５に吸気流量制御信号ＣＴＨを出力し、これらの弁４１６，４５を制御する。なお、排気ガス環流コントローラ４２０は、排気ガスの環流率Ｒを、吸気流量信号Ｇ１及び還流ガス流量Ｇ２から、
（Ｇ２／（Ｇ１＋Ｇ２））として算出する。
【０２１６】
なお、以下の説明において、吸気流量制御弁４５の応答性が、還流ガス制御弁４１６の応答性よりも早いものとする。具体的には、吸気流量制御弁４５は、例えば、ボア径が
５０φのバタフライ弁とし、還流ガス制御弁４１６が、例えば、シート径が３０φのシート弁とすると、このとき、吸気流量制御弁４５の応答性が、還流ガス制御弁４１６の応答性よりも早いものとなる。
【０２１７】
次に、図１２を用いて、排気ガス環流コントローラの制御内容について説明する。なお、以下の制御内容は、全て排気ガス環流コントローラ４２０によって実行される。
【０２１８】
図１２のステップｓ５００において、排気ガス環流コントローラ４２０は、吸気流量信号Ｇ１及び還流ガス流量Ｇ２から、排気ガスの環流率Ｒを、（Ｇ２／（Ｇ１＋Ｇ２））として算出する。
【０２１９】
次に、ステップｓ５１０において、ＥＣＵ４２１から入力した排気ガスの環流率Ｒの目標値ＲＳＥＴの変化分ΔＲＳＥＴが、予め設定されている基準値ΔＲ０よりも大きいか否かを判定する。変化分ΔＲＳＥＴが、基準値ΔＲ０よりも大きい場合には、ステップs520に進み、そうでない場合にはステップｓ５５０に進む。すなわち、ステップｓ５１０では、排気ガスの環流率Ｒの目標値ＲＳＥＴが大きく変化したか否かを判定する。内燃機関の過渡的な運転条件変化があり、排気ガス中の有害物質低減のため、排気ガス還流率を急変する必要が生じたか否かを判定する。
【０２２０】
変化分ΔＲＳＥＴが基準値ΔＲ０よりも大きい場合、すなわち、排気ガス還流率を急変する必要が生じた場合には、ステップｓ５２０において、ステップｓ５１０で算出された排気ガスの環流率Ｒが、排気ガスの環流率Ｒの目標値ＲＳＥＴと等しいか否かを判定する。
【０２２１】
環流率Ｒが目標値ＲＳＥＴより大きい場合には、ステップｓ５３０において、吸気流量制御弁４５に出力する開度制御信号ＣＴＨを減少させ、吸気流量制御弁５の開度が小さくなるように制御する。そして、ステップｓ５２０に戻り、環流率Ｒが目標値ＲＳＥＴに等しくなるまで繰り返される。
【０２２２】
一方、環流率Ｒが目標値ＲＳＥＴより小さい場合には、ステップｓ５４０において、吸気流量制御弁４５に出力する開度制御信号ＣＴＨを増加させ、吸気流量制御弁４５の開度が大きくなるように制御する。そして、ステップｓ５２０に戻り、環流率Ｒが目標値RSETに等しくなるまで繰り返される。
【０２２３】
以上のように、ステップｓ５２０，ｓ５３０，５４０の処理を繰り返すことにより、環流率Ｒが目標値ＲＳＥＴに等しくなるまでフィードバック制御される。このとき、吸気流量制御弁５の応答性が、還流ガス制御弁４１６の応答性よりも早いものとしているので、排気ガス還流率を急変する必要が生じた場合でも、速やかに排気ガス環流率を所定の目標値に変更することが可能となる。
【０２２４】
一方、ステップｓ５１０の判定で、変化分ΔＲＳＥＴが基準値ΔＲ０以下と判定された場合、すなわち、排気ガス還流率の変化がそれほど大きくない場合には、ステップｓ550において、ステップｓ５１０で算出された排気ガスの環流率Ｒが、排気ガスの環流率Ｒの目標値ＲＳＥＴと等しいか否かを判定する。
【０２２５】
環流率Ｒが目標値ＲＳＥＴより大きい場合には、ステップｓ５６０において、還流ガス制御弁４１６に出力する開度制御信号ＣＥＧを減少させ、還流ガス制御弁４１６の開度が小さくなるように制御する。そして、ステップｓ５５０に戻り、環流率Ｒが目標値RSETに等しくなるまで繰り返される。
【０２２６】
一方、環流率Ｒが目標値ＲＳＥＴより小さい場合には、ステップｓ５７０において、還流ガス制御弁４１６に出力する開度制御信号ＣＥＧを増加させ、還流ガス制御弁４１６の開度が大きくなるように制御する。そして、ステップｓ５５０に戻り、環流率Ｒが目標値ＲＳＥＴに等しくなるまで繰り返される。
【０２２７】
以上のように、ステップｓ５５０，ｓ５６０，５７０の処理を繰り返すことにより、環流率Ｒが目標値ＲＳＥＴに等しくなるまでフィードバック制御される。このとき、還流ガス制御弁４１６の応答性は、吸気流量制御弁４５の応答性よりも遅いものであるということは、より微妙な開度制御が可能であり、正確に、排気ガス環流率を所定の目標値に変更することが可能となる。
【０２２８】
なお、以上の説明では、吸気流量制御弁５の応答性が、還流ガス制御弁４１６の応答性よりも早いものとしたが、逆に、還流ガス制御弁４１６の応答性が、吸気流量制御弁４５の応答性よりも早い場合もある。具体的には、吸気流量制御弁４５は、例えば、ボア径が３０φのバタフライ弁とし、還流ガス制御弁４１６が、例えば、シート径が５０φのシート弁とすると、このとき、還流ガス制御弁４１６の応答性が、吸気流量制御弁４５の応答性よりも早いものとなる。このような場合には、排気ガス還流率を急変する必要が生じた場合には、応答性の早い還流ガス制御弁４１６を制御し、急変が不要の場合には、応答性の遅い吸気流量制御弁４５を制御して制御精度が向上するようにする。
【０２２９】
以上のようにして、排気ガス還流率を急変する必要が生じた場合には、応答性の早い方の制御弁を制御することにより、急激な変化にも対応でき、一方、急変が不要な場合には、応答性の遅い方の制御弁を制御することにより、制御精度を向上することができる。
【０２３０】
以上説明した排気ガス還流率を急変する必要が生じた場合の吸気流量制御弁４５の応答性と還流ガス制御弁４１６の応答性との関係は先出の実施例のように還流ガス制御弁416がバタフライ弁であっても、また、その取付け位置が先出の実施例のように吸気通路の仲に配置されている場合においても同様である。
【０２３１】
次に、図１３を用いて、本実施形態による内燃機関の排気ガス還流装置における排気ガス環流コントローラのフィードバック制御方法について説明する。
【０２３２】
図１３は、本発明の一実施形態による内燃機関の排気ガス還流装置において、エンジン７の吸気側の吸気流量制御弁４５から排気側のターボチャージャーのタービン４９までをモデル化した図である。なお、図１０と同一符号は、同一部分を示している。
【０２３３】
図１３において、吸気流量制御弁５を通過する流量と圧力をそれぞれＧ１，ｐ１とし、ターボチャージャーのタービン９を通過する流量と圧力をそれぞれＧ３，ｐ３とし、還流ガス制御弁４１６においてエンジン７を基準にしてエンジン４７の排気側である還流管
４１３ａを通過する流量と圧力をそれぞれＧ２，ｐ２とすると、この系の関係は、以下の式（１），式（２），式（３）の連立方程式で表わすことができる。
【０２３４】
Ｇ１＋Ｇ２＝Ｇ３＝ｆ３（ｎｅ，ηｖ，ｐ２）                        …（１）
Ｇ１＝ｆ１（ｐ１，ｐ２，ζ）                                      …（２）
Ｇ２＝ｆ２（ｐ２，ｐ３，ζ′）                                    …（３）
ここで、ｎｅ：エンジン回転数、η：エンジンの体積効率、ｖ：エンジン排気量、ｐ１：吸気圧力、ｐ２：エンジンの背圧、ｐ３：ターボチャージャーのタービン背圧、ζ：吸気流量制御弁損失係数、ζ′：還流ガス制御弁損失係数、ｆ１：吸気流量制御弁流量特性、ｆ２：還流ガス制御弁流量特性である。
【０２３５】
一方、還流ガス還流率Ｒは、上述したように、Ｒ＝Ｇ２／（Ｇ１＋Ｇ２）で与えられる。つまり、吸気流量制御弁５を通過する流量Ｇ１と還流ガス制御弁を通過する流量Ｇ２の値が求まれば一義的に確定する。
【０２３６】
ここで、式（２）で示される通り、吸気流量制御弁５を通過する流量Ｇ１は、損失係数ζ、つまり吸気流量制御弁５弁の開度により制御可能である。同様に、式（３）で示される通り、還流ガス制御弁４１６を通過する流量Ｇ２は、損失係数ζ′、つまり還流ガス制御弁４１６の弁開度により制御可能である。つまり、流量Ｇ１，Ｇ２の値を基に、吸気流量制御弁４５の弁開度と還流ガス制御弁４１６の弁開度との指令系にフィードバック系を組むことにより、還流ガス還流率Ｒを制御できることになる。
【０２３７】
さらに、この場合予め吸気流量制御弁４５および還流ガス制御弁４１６の流量特性を把握して置くことにより、制御速度の向上が可能となる。すなわち、例えば、吸気流量制御弁４５を駆動して吸気流量を変化させた場合の単位時間当たりの流量変化分と、還流ガス制御弁４１６を駆動して吸気流量を変化させた場合の単位時間当たりの流量変化分とを予め把握する。そして、吸気流量制御弁４５を駆動して吸気流量を変化させた場合の単位時間当たりの流量変化分が、還流ガス制御弁４１６を駆動して吸気流量を変化させた場合の単位時間当たりの流量変化分よりも早い場合、すなわち、吸気流量制御弁４５の応答性が還流ガス制御弁４１６の応答性よりも早い場合には、排気ガス還流率を急変する必要が生じた場合には、吸気流量制御弁４５を制御することにより、速やかに排気ガス環流率を所定の目標値に変更することが可能となり、制御速度が向上する。
【０２３８】
次に、図１４及び図１５を用いて、本実施形態による内燃機関の排気ガス還流装置に用いる還流ガス流量検出器４１５の構成について説明する。
【０２３９】
図１４は、本発明が用いられる内燃機関の排気ガス還流システムに用いる還流ガス流量検出器の第１の構成を示す部分断面図である。図１５は、本発明が用いられる内燃機関の排気ガス還流システムに用いる還流ガス流量検出器の第２の構成を示す部分断面図である。
【０２４０】
図１４に示す還流ガス流量検出器４１５は、環流管内部の圧力により、環流ガス流量を測定するものである。還流管１３ｂの内壁面の一部には、絞り部１５３が形成されている。低圧側圧力検知器１５２は、絞り部１５３に検知部が開口するように設けられている。高圧側圧力検知器１５１は、絞り部１５３が設けられていない場所の環流管４１３ｂに検知部が開口するように設けられている。低圧側圧力検知器１５２と、高圧側圧力検知器
１５１とにより、還流管４１３ｂの内部の圧力を測定する。低圧側圧力検知器１５２は、絞り部１５３に設けられることにより、ベルヌーイの定理によるベンチュリ効果を利用することができる。排気ガス環流コントローラ４２０は、２個の圧力検知器１５１，１５２の圧力差から、還流管４１３ｂの内部の還流ガス流量Ｇ２を検知することができる。さらに、環流管４１３ｂの内部を流れる環流ガスの温度を検出する温度センサ４１５４を備えている。排気ガス環流コントローラ４２０は、圧力検知器１５１，１５２の圧力差から求められた還流ガス流量Ｇ２を、温度センサ１５４によって検出された環流ガス温度によって補正する。なお、還流ガス流量検出器４１５の内部に、圧力検知器１５１，１５２の圧力差から還流ガス流量Ｇ２を求め、さらに、温度センサ１５４によって検出された環流ガス温度によって補正するための回路素子を備え、還流ガス流量検出器１５が、環流ガス流量Ｇ２の検出信号を排気ガス環流コントローラ４２０に出力するようにしてもよいものである。
【０２４１】
図１５に示す還流ガス流量検出器４１５Ａは、熱線式検知器により、環流ガス流量を測定するものである。還流ガス流量検出器１５６は、還流管４１３ｂの壁面に設置されている。また、還流ガス流量検出器１５６には、検知エレメント１５７が設けられており、還流管４１３Ｂの内部の還流ガス流量を測定している。検知エレメント１５７には電流が流され、一定温度となるように加熱されている。環流ガスの流量に応じて、検知エレメント１５７から奪われる熱量が変化する。このとき、検知エレメント１５７の温度が一定となるように制御することにより、検知エレメント１５７を流れる電流が環流ガス流量を示す信号となる。この方式では、熱線式検知器を用いるので、質量流量つまりＧ２を直接測定することができる。
【０２４２】
以上は、還流ガス流量検出器４１５の構成の説明であるが、吸気流量検出器２としても、図１４に示した圧力を検知する方式のものや、図１５に示した熱線式のものを用いることができる。
【０２４３】
次に、図１６及び図１７を用いて、本実施形態による内燃機関の排気ガス還流装置に用いる吸気流量制御弁４５の特性について説明する。
【０２４４】
図１６，図１７は、本発明の一実施形態による内燃機関の排気ガス還流装置に用いる吸気流量制御弁の駆動方式の違いによる特性を示す図である。図１６，図１７において、横軸は時間を示し、縦軸は吸気流量制御弁の弁開度を示している。縦軸の弁開度は、最大開度のときを１００％として、百分率で示している。
【０２４５】
図１６において、実線Ｘ１は、吸気流量制御弁４５として、電子制御方式のスロットルアクチュエータを用いた場合の弁開度の特性を示している。実線Ｘ２は、吸気流量制御弁４５として、負圧式のスロットルアクチュエータを用いた場合の弁開度の特性を示している。
【０２４６】
実線Ｘ２で示す負圧式アクチュエータでは、弁開度Ａと全開点であるＢのみの２開度しか制御できず還流ガス還流率を前述のフィードバック制御するのが困難である。
【０２４７】
一方、実線Ｘ１で示すように、電子制御方式のスロットルアクチュエータを用いた場合、弁開度０から全開点Ｂまで無段階に制御可能であり、フィードバック制御を容易に実現できる。よって、本実施形態に用いる吸気流量制御弁４５としては、電子制御方式のスロットルアクチュエータを用いるのが好適である。
【０２４８】
次に、図１７は、電子制御方式のスロットルアクチュエータの駆動方式の違いによる特性の違いを説明している。実線Ｙ１は、直流電動機によりスロットルバルブを駆動する方式のスロットルアクチュエータにおける応答性を示している。実線Ｙ１は、ステップモータによりスロットルバルブを駆動する方式のスロットルアクチュエータにおける応答性を示している。
【０２４９】
ステップモータは、駆動パルスに応じた回転をするためオープンループ制御が可能であるが、図中の実線Ｙ２で示す特性のように、直流電動機方式に比べて応答速度が遅いものである。一般にステップモータは脱調を回避する等の制約から高速化が困難であり、高速化を求める場合ステップモータの大型化ひいてはコスト高を招くものである。
【０２５０】
これに対して、直流電動機は、小型で高回転タイプの物が容易に入手でき、さらに、位置のフィードバック制御を行うことで、小型，高速で低コストの駆動原として好適である。
【０２５１】
また、制御分解能の観点で見た場合、ステップモータでは駆動ステップが制御分解能となり、高速化と相反する。一方、直流電動機方式の場合、フィードバック制御に用いる位置検出センサの分解能により決まり、ポテンショメータ等の連続出力方式のものを使用すれば容易に高分解能なフィードバック系が成立する。
【０２５２】
したがって、電子制御方式のスロットルアクチュエータの駆動源としては、直流電動機が好適である。なお、ブラシレスモータを採用した場合でも、直流電動機と同様な結果が得られる。
【０２５３】
以上説明したように、本実施形態によれば、排気ガス還流率を急変する必要が生じた場合でも、応答性の早い方の制御弁を制御することにより、急激な変化にも対応でき、一方、急変が不要な場合には、応答性の遅い方の制御弁を制御することにより、制御精度を向上することができる。
【０２５４】
次に、図１８〜図２０を用いて、本発明の他の実施形態による内燃機関の排気ガス還流装置の構成及び動作について説明する。なお、本実施形態による内燃機関の排気ガス還流装置を用いたエンジンシステムの構成は、図１０に示したものと同様である。
【０２５５】
図１８は、本発明の他の実施形態による内燃機関の排気ガス還流装置の制御系のブロック図である。なお、図１０と同一符号は、同一部分を示している。図１９は、本発明の他の実施形態による内燃機関の排気ガス還流装置に用いるマップの構成図である。図２０は、本発明の他の実施形態による内燃機関の排気ガス還流装置における排気ガス環流コントローラの制御内容を示すフローチャートである。なお、図１２と同一符号は、同一部分を示している。
【０２５６】
図１８に示すように、本実施形態では、排気ガス環流コントローラ４２０Ａは、その内部に３次元マップ４２０Ｂを備えている。排気ガス環流コントローラ４２０Ａには、
ＥＣＵ４２１が出力する還流ガス還流率指令値ＲＳＥＴ，吸気流量検出器２によって検出された吸気流量信号Ｇ１，還流ガス流量検出器４１５によって検出された還流ガス流量
Ｇ２，吸気流量制御弁５からの開度信号θTH及び還流ガス制御弁４１６からのストローク信号ＳＴＥＧが入力する。
【０２５７】
排気ガス環流コントローラ４２０Ａは、排気ガスの環流率Ｒを、吸気流量信号Ｇ１及び還流ガス流量Ｇ２から、（Ｇ２／（Ｇ１＋Ｇ２））として算出する。排気ガス環流コントローラ４２０Ａは、排気ガスの環流率Ｒが目標値ＲＳＥＴとなるように、最初にマップ
４２０Ｂを用いて、還流ガス制御弁１６に開度制御信号ＣＥＧや、吸気流量制御弁５に吸気流量制御信号ＣＴＨを出力し、さらに、フィードバック制御により、還流ガス制御弁
４１６に開度制御信号ＣＥＧを出力し、吸気流量制御弁４５に吸気流量制御信号ＣＴＨを出力し、これらの弁４１６，４５を制御する。
【０２５８】
次に、図１９を用いて、３次元マップ４２０Ｂの内容について説明する。マップ420Ｂは、新気通路開度θTH（％）と、環流通路開度ＳＴＥＧ（％）と、環流率Ｒ（％）との３次元マップである。新気通路開度θTH（％）は、吸気流量制御弁４５がバタフライ式の弁の場合、最大開度を１００％として、開度信号θTHを百分率で示したものである。環流通路開度ＳＴＥＧ（％）は、環流ガス制御弁４１６がシートバルブ式の弁の場合、シートバルブの最大ストローク量を１００％として、ストローク信号ＳＴＥＧを百分率で示したものである。
【０２５９】
ここで先出の実施例のように環流ガス制御弁４１６がバタフライ式の弁の場合は、吸気流量制御弁４５の場合と同様、最大開度を１００％として、開度信号θTHを百分率で示すことになる
図１９は、あるエンジンの運転状態時において、上述した式（１），式(２），式(３）を解いた結果を示している。ここでは、図示の関係で、吸気流量制御弁４５の指示範囲は開度５％から２５％まで、同様に還流ガス制御弁４１４の指示範囲は開度０％から６０％までとなっている。３次元のマップ上の格子点は、還流ガス還流率を満足する吸気流量制御弁５弁および還流ガス制御弁の弁開度の関係を示している。３次元マップ４２０Ｂは、エンジンの各運転状態に対応する複数の３次元マップを設けている。そして、エンジンの運転状態に応じたマップを使用して、そのマップ上の格子点を選ぶことにより、オープンループ制御によっても還流ガス還流率を制御することもできる。
【０２６０】
ここで、図１９に示した吸気流量制御弁５と還流ガス制御弁４１６の弁開度変化に対するガス還流率の変化を見た場合、吸気流量制御弁４５の開度変化に対するガス還流率の変化割合の方が、吸気流量制御弁５の開度変化に対するガス還流率の変化割合よりも大きくなっている。さらに、電子制御方式のスロットルアクチュエータでは弁開度が０％から
１００％まで動作するのに１００msec以下のものが実用化されており、図１９中の５％から２５％の領域は２０msec程度で動作可能である。従って、図１９に示した例では、吸気流量制御弁４５の応答性が、還流ガス制御弁４１６の応答性よりも早く、還流ガス還流率指令値ＲＳＥＴが、例えばパルス的に急変した場合でも、電子制御方式のスロットルアクチュエータである吸気流量制御弁５を主にして動作させれば、パルス的な指令値の変動にも対応できる。すなわち、過渡的なエンジン運転状態の変化にも対応できる。
【０２６１】
次に、図２０を用いて、排気ガス環流コントローラ４２０Ｂの制御内容について説明する。なお、以下の制御内容は、全て排気ガス環流コントローラ４２０Ｂによって実行される。また、図１２と同一ステップ番号は、同一の処理内容を示している。本実施形態では、図１２の処理に対して、ステップｓ６１０〜ｓ６４０の処理が追加されている。
【０２６２】
図２０のステップｓ５００において、排気ガス環流コントローラ４２０Ｂは、吸気流量信号Ｇ１及び還流ガス流量Ｇ２から、排気ガスの環流率Ｒを、（Ｇ２／（Ｇ１＋Ｇ２））として算出する。
【０２６３】
次に、ステップｓ５１０において、ＥＣＵ４２１から入力した排気ガスの環流率Ｒの目標値ＲＳＥＴの変化分ΔＲＳＥＴが、予め設定されている基準値ΔＲ０よりも大きいか否かを判定する。変化分ΔＲＳＥＴが、基準値ΔＲ０よりも大きい場合には、ステップs610に進み、そうでない場合にはステップｓ６３０に進む。すなわち、ステップｓ５１０では、排気ガスの環流率Ｒの目標値ＲＳＥＴが大きく変化したか否かを判定する。内燃機関の過渡的な運転条件変化があり、排気ガス中の有害物質低減のため、排気ガス還流率を急変する必要が生じたか否かを判定する。
【０２６４】
変化分ΔＲＳＥＴが基準値ΔＲ０よりも大きい場合、すなわち、排気ガス還流率を急変する必要が生じた場合には、ステップｓ６１０において、そのときのエンジンの運転状態に応じた３次元マップ４２０Ｂを用いて、還流ガス還流率指令値ＲＳＥＴに対応する環流率Ｒと、環流通路開度ＳＴＥＧ（％）とから、目標とする新気通路開度θTH（％）を求める。
【０２６５】
そして、ステップｓ６２０において、目標とする新気通路開度θTH（％）となるための開度制御信号ＣＴＨを吸気流量制御弁５に出力して、吸気流量制御弁４５の開度が目標とする新気通路開度θTH（％）となるように、オープンループで制御する。このように、オープンループで新気通路開度θTH（％）となるように、吸気流量制御弁４５の開度を制御することで速やかに目標とする新気通路開度θTH（％）付近に制御することができる。
【０２６６】
次に、ステップｓ５２０において、ステップｓ５１０で算出された排気ガスの環流率Ｒが、排気ガスの環流率Ｒの目標値ＲＳＥＴと等しいか否かを判定する。
【０２６７】
環流率Ｒが目標値ＲＳＥＴより大きい場合には、ステップｓ５３０において、吸気流量制御弁４５に出力する開度制御信号ＣＴＨを減少させ、吸気流量制御弁５の開度が小さくなるように制御する。そして、ステップｓ５２０に戻り、環流率Ｒが目標値ＲＳＥＴに等しくなるまで繰り返される。
【０２６８】
一方、環流率Ｒが目標値ＲＳＥＴより小さい場合には、ステップｓ５４０において、吸気流量制御弁４５に出力する開度制御信号ＣＴＨを増加させ、吸気流量制御弁４５の開度が大きくなるように制御する。そして、ステップｓ５２０に戻り、環流率Ｒが目標値RSETに等しくなるまで繰り返される。
【０２６９】
以上のように、ステップｓ５２０，ｓ５３０，５４０の処理を繰り返すことにより、環流率Ｒが目標値ＲＳＥＴに等しくなるまでフィードバック制御される。以上のように、吸気流量制御弁４５の応答性が、還流ガス制御弁４１６の応答性よりも早いので、排気ガス還流率を急変する必要が生じた場合でも、速やかに排気ガス環流率を所定の目標値に変更することが可能となる。
【０２７０】
一方、ステップｓ５１０の判定で、変化分ΔＲＳＥＴが基準値ΔＲ０以下と判定された場合、すなわち、排気ガス還流率の変化がそれほど大きくない場合には、ステップｓ630において、そのときのエンジンの運転状態に応じた３次元マップ４２０Ｂを用いて、還流ガス還流率指令値ＲＳＥＴに対応する環流率Ｒと、新気通路開度θTH（％）とから、目標とする環流通路開度ＳＴＥＧ（％）を求める。
【０２７１】
そして、ステップｓ２４０において、目標とする環流通路開度ＳＴＥＧ（％）となるための開度制御信号ＣＥＧを還流ガス制御弁４１６に出力して、還流ガス制御弁４１６の開度が目標とする環流通路開度ＳＴＥＧ（％）となるように、オープンループで制御する。
【０２７２】
次に、ステップｓ５５０において、ステップｓ５１０で算出された排気ガスの環流率Ｒが、排気ガスの環流率Ｒの目標値ＲＳＥＴと等しいか否かを判定する。
【０２７３】
環流率Ｒが目標値ＲＳＥＴより大きい場合には、ステップｓ５６０において、還流ガス制御弁４１６に出力する開度制御信号ＣＥＧを減少させ、還流ガス制御弁４１６の開度が小さくなるように制御する。そして、ステップｓ５５０に戻り、環流率Ｒが目標値RSETに等しくなるまで繰り返される。
【０２７４】
一方、環流率Ｒが目標値ＲＳＥＴより小さい場合には、ステップｓ５７０において、還流ガス制御弁４１６に出力する開度制御信号ＣＥＧを増加させ、還流ガス制御弁４１６の開度が大きくなるように制御する。そして、ステップｓ５５０に戻り、環流率Ｒが目標値ＲＳＥＴに等しくなるまで繰り返される。
【０２７５】
以上のように、ステップｓ５５０，ｓ５６０，５７０の処理を繰り返すことにより、環流率Ｒが目標値ＲＳＥＴに等しくなるまでフィードバック制御される。このとき、還流ガス制御弁４１６の応答性は、吸気流量制御弁４５の応答性よりも遅いものであるということは、より微妙な開度制御が可能であり、正確に、排気ガス環流率を所定の目標値に変更することが可能となる。
【０２７６】
なお、以上の説明では、吸気流量制御弁４５の応答性が、還流ガス制御弁４１６の応答性よりも早いものとしたが、逆に、還流ガス制御弁４１６の応答性が、吸気流量制御弁
４５の応答性よりも早い場合もある。このような場合には、排気ガス還流率を急変する必要が生じた場合には、応答性の早い還流ガス制御弁４１６を最初にオープンループで制御し、次にフィードバック制御し、急変が不要の場合には、応答性の遅い吸気流量制御弁５を制御して制御精度が向上するようにする。
【０２７７】
以上説明したように、本実施形態によれば、排気ガス還流率を急変する必要が生じた場合でも、応答性の早い方の制御弁を最初オープンループで制御することにより、速やかに目標開度付近に弁を移動し、次にフィードバック制御することにより、目標開度に収束させることにより、急激な変化にも対応でき、一方、急変が不要な場合には、応答性の遅い方の制御弁を制御することにより、制御精度を向上することができる。
【０２７８】
以上に説明した本実施例になるＥＧＲ制御システムの特徴を纏めると以下の通りである。
【０２７９】
ディーゼルエンジンのような内燃機関においては、排気ガス浄化、特に、窒素酸化物の排出削減のためには、該排気ガス還流制御が重要となる。従来の排気ガス環流装置としては、例えば、特開２００３−８３０３４号公報，特許第３３２９７１１号公報，特表2003−５１６４９６号公報に記載されているように、所定の排気ガス還流率となるように、排気ガス環流弁の開度を制御していた。
【０２８０】
しかしながら、排気ガス環流弁の開度を制御する従来の方式では、内燃機関の運転領域全て、特に、過渡的な運転条件変化に対して、排気ガス中の有害物質低減のため、排気ガス還流率を急変する必要が生じた場合、適正な制御を行うことが困難であるという問題があった。
【０２８１】
本実施例の目的は、内燃機関の排気ガス還流流量制御の応答速度及び精度の向上した排気ガス還流装置を提供することにある。
【０２８２】
（１）上記目的を達成するために、本実施例は、内燃機関の排気ガス還流通路の還流流量を制御する還流ガス制御弁と、内燃機関の吸気通路の流量制御する吸気制御弁とを備えた内燃機関の排気ガス還流装置であって、前記吸気通路の流量を検出する吸気量検知器と、前記排気ガス還流通路の排気ガス還流流量を検出する還流量検知器と、前記吸気流量検知器と前記還流流量検知器の出力に基いて求められた排気ガス環流率が目標の環流率となるように、前記吸気制御弁及び／または前記還流ガス制御弁をフィードバック制御する制御手段を備えるようにしたものである。
【０２８３】
かかる構成により、内燃機関の排気ガス還流流量制御の応答速度及び精度を向上し得るものとなる。
【０２８４】
（２）上記（１）において、好ましくは、前記制御手段は、前記環流率の目標値が急激に変化した場合には、前記吸気制御弁及び前記還流ガス制御弁の内、応答性の早い方の弁をフィードバック制御するようにしたものである。
【０２８５】
（３）上記（１）において、好ましくは、前記還流ガス制御弁開度と、前記吸気制御弁開度と、前記環流率との組合せ状態によって定義される３次元マップを複数個備え、前記制御手段は、内燃機関の運転状態に応じた前記３次元マップを選択し、前記吸気流量検知器と前記還流流量検知器の出力に基いて求められた排気ガス環流率が目標の環流率となるように、前記吸気制御弁及び／または前記還流ガス制御弁を制御するようにしたものである。
【０２８６】
（４）上記（２）において、好ましくは、前記制御手段は、前記環流率の目標値が急激に変化した場合には、前記吸気制御弁及び前記還流ガス制御弁の内、応答性の早い方の弁を制御するようにしたものである。
【０２８７】
（５）上記（１）において、好ましくは、前記排気ガス還流量検知器は、前記排気ガス還流通路の少なくとも２地点以上の圧力差を基に環流量を検出する検知器若しくは前記排気ガス還流通路の質量流量を検出する検知器であり、前記吸気量検知器は、前記吸気通路の少なくとも２地点以上の圧力差を基に吸気量を検出する検知器若しくは前記吸気通路の質量流量を検出する検知器としたものである。
【０２８８】
（６）上記（１）において、好ましくは、前記吸気制御弁が、電子制御方式のスロットルアクチュエータとしたものである。
【図面の簡単な説明】
【０２８９】
【図１】本発明になる排気還流制御装置の一実施例を示す部分断面斜視図。
【図２】本発明になる排気還流制御装置の一実施例を示す縦断面図。
【図３】本発明になる排気還流制御装置の一実施例を示す側面図。
【図４】本発明になる排気還流制御装置の一実施例を示す横断面図。
【図５】本発明になる排気還流制御装置の一実施例を示す上面面図
【図６】本発明になる排気還流制御装置の一実施例における制御弁駆動機構の拡大断面図。
【図７】本発明になる排気還流制御装置の一実施例における吸気制御装置の駆動機構の部分拡大断面図。
【図８】本発明になる排気還流制御装置の一実施例を示す反対側の側面図。
【図９】本発明になる排気還流制御装置の一実施例を示す冷却装置を外した側面図。
【図１０】は、本発明が適用される内燃機関の排気ガス還流装置を用いたエンジンシステムの構成である。
【図１１】は、本発明が適用される内燃機関の排気ガス還流装置の制御系のブロック図である。
【図１２】は、本発明が適用される内燃機関の排気ガス還流装置における排気ガス環流コントローラの制御内容を示すフローチャートである。
【図１３】は、本発明が適用される内燃機関の排気ガス還流装置において、エンジンの吸気側の吸気流量制御弁から排気側のターボチャージャーのタービンまでをモデル化した図である。
【図１４】は、本発明が適用される内燃機関の排気ガス還流装置に用いる還流ガス流量検出器の第１の構成を示す部分断面図である。
【図１５】は、本発明が適用される内燃機関の排気ガス還流装置に用いる還流ガス流量検出器の第２の構成を示す部分断面図である。
【図１６】は、本発明が適用される内燃機関の排気ガス還流装置に用いる吸気流量制御弁の駆動方式の違いによる特性を示す図である。
【図１７】は、本発明が適用される内燃機関の排気ガス還流装置に用いる吸気流量制御弁の駆動方式の違いによる特性を示す図である。
【図１８】は、本発明が適用される内燃機関の排気ガス還流装置の他の実施例になる制御系のブロック図である。
【図１９】は、本発明が適用される内燃機関の排気ガス還流装置の他の実施例用いるマップの構成図である。
【図２０】は、本発明が適用される内燃機関の排気ガス還流装置の他の実施例になる排気ガス環流コントローラの制御内容を示すフローチャートである。
【図２１】本発明に用いられる電子制御スロットル装置の第１の実施形態におけるシステム構成図である。
【図２２】本発明に用いられる電子制御スロットル装置の第１の実施形態におけるスロットルバルブ開度特性の説明図である。
【図２３】本発明に用いられる電子制御スロットル装置の第１の実施形態におけるスロットルバルブ開度の定義の説明図である。
【図２４】本発明に用いられる電子制御スロットル装置の第１の実施形態における縦断面図である。
【図２５】図２４のＶ−Ｖ矢視の断面図である。
【図２６】本発明に用いられる電子制御スロットル装置の第１の実施形態におけるスロットルポジションセンサの斜視図である。
【図２７】本発明に用いられる電子制御スロットル装置の第１の実施形態におけるスロットルポジションセンサの回路図である。
【図２８】図２４のギアカバーを外した状態におけるＡ矢視図である。
【図２９】図２４のギアカバーを外し、さらに中間ギアを外した状態におけるＡ矢視図である。
【図３０】図２４のギアカバーを外し、さらに中間ギアと終段ギアを外した状態におけるＡ矢視図である。
【図３１】本発明に用いられる電子制御スロットル装置の第１の実施形態におけるギアカバーの平面図である。
【図３２】本発明に用いられる電子制御スロットル装置の第１の実施形態におけるスロットルアクチュエータコントロールユニット（ＴＡＣＵ）のシステム構成図である。
【図３３】本発明に用いられる電子制御スロットル装置の第１の実施形態におけるＨブリッジ回路の構成を示す回路図である。
【図３４】本発明に用いられる電子制御スロットル装置の第１の実施形態における制御部による制御内容を示すフローチャートである。
【図３５】本発明に用いられる電子制御スロットル装置の第１の実施形態における制御部による制御内容の説明図である。
【図３６】本発明に用いられる電子制御スロットル装置の第２の実施形態における制御部による制御内容を示すフローチャートである。
【図３７】本発明に用いられる電子制御スロットル装置の第２の実施形態における制御部による制御内容の説明図である。
【図３８】本発明に用いられる電子制御スロットル装置の第３の実施形態における制御部による制御内容を示すフローチャートである。
【図３９】本発明に用いられる電子制御スロットル装置の第４の実施形態における制御部による制御内容を示すフローチャートである。
【図４０】本発明に用いられる電子制御スロットル装置の第４の実施形態における制御部による制御内容の説明図である。
【図４１】本発明に用いられる電子制御スロットル装置の他の実施形態におけるシステム構成図である。
【符号の説明】
【０２９０】
１…スロットルボディ、２…スロットルバルブ、３…スロットルシャフト、４…ボールベアリング、５…ＤＣモータ、６，７，８…ギア、９…ギアカバー、１０…接触式スロットルポジションセンサ、１０ａ…ブラシ、１０ｂ…抵抗体、１１…リターンスプリング、１２…コントロールユニットカバー、１３Ａ…全閉ストッパ、１３Ｂ…全開ストッパ、
１００…電子スロットルボディ（ＥＴＢ）、２００…スロットルアクチュエータコントロールユニット（ＴＡＣＵ）、２１０…ＣＰＵ、２１４…ＰＩＤ演算部、２１６…制御量演算部、２３０…モータ駆動回路、２３４…Ｈブリッジ回路、３００…エンジンコントロールユニット（ＥＣＵ）。
【図１】
2005140024.tif 000003
【図２】
2005140024.tif 000004
【図３】
2005140024.tif 000005
【図４】
2005140024.tif 000006
【図５】
2005140024.tif 000007
【図６】
2005140024.tif 000008
【図７】
2005140024.tif 000009
【図８】
2005140024.tif 000010
【図９】
2005140024.tif 000011
【図１０】
2005140024.tif 000012
【図１１】
2005140024.tif 000013
【図１２】
2005140024.tif 000014
【図１３】
2005140024.tif 000015
【図１４】
2005140024.tif 000016
【図１５】
2005140024.tif 000017
【図１６】
2005140024.tif 000018
【図１７】
2005140024.tif 000019
【図１８】
2005140024.tif 000020
【図１９】
2005140024.tif 000021
【図２０】
2005140024.tif 000022
【図２１】
2005140024.tif 000023
【図２２】
2005140024.tif 000024
【図２３】
2005140024.tif 000025
【図２４】
2005140024.tif 000026
【図２５】
2005140024.tif 000027
【図２６】
2005140024.tif 000028
【図２７】
2005140024.tif 000029
【図２８】
2005140024.tif 000030
【図２９】
2005140024.tif 000031
【図３０】
2005140024.tif 000032
【図３１】
2005140024.tif 000033
【図３２】
2005140024.tif 000034
【図３３】
2005140024.tif 000035
【図３４】
2005140024.tif 000036
【図３５】
2005140024.tif 000037
【図３６】
2005140024.tif 000038
【図３７】
2005140024.tif 000039
【図３８】
2005140024.tif 000040
【図３９】
2005140024.tif 000041
【図４０】
2005140024.tif 000042
【図４１】
2005140024.tif 000043